(57)【要約】【課題】陰茎表面が陰嚢から完全に離間するように陰茎を離隔し、陰嚢を股の内側肉と直接接触しないように離間させ、陰嚢を空気中に露出させてつり下がっているようにすることで、陰嚢の表面に通気性が極大化されて陰嚢と陰嚢内の睾丸をより効果的に冷やすことができる男性用下着を提供する。【解決手段】男性用下着１００は、陰茎を陰嚢の反対方向に立てて陰茎を陰嚢から離間させる板状の第１繊維部材１１０と、第１繊維部材１１０から下部方向に伸びて陰嚢と股の内側肉とを離間させる板状の第２繊維部材１２０と、第１繊維部材１１０と第２繊維部材１２０との間に形成されて陰嚢を空気中に完全に突出させる第１開口部１３０とからなる。
2017523322.tif 000002
【特許請求の範囲】
【請求項１】
陰茎を陰嚢の反対方向に立てて前記陰茎を陰嚢から離間させる板状の第１繊維部材と、
前記第１繊維部材から下部方向に伸びて前記陰嚢と股の内側肉を離間させる板状の第２繊維部材と、
前記第１繊維部材と前記第２繊維部材との間に形成されて前記陰嚢を空気中に完全に突出させる第１開口部とを含み、
前記第１開口部により前記第２繊維部材が２つの部材に分割されたことを特徴とする男性用下着。
【請求項２】
陰茎を陰嚢の反対方向に立てて前記陰茎を陰嚢から離間させる板状の第１繊維部材と、
前記第１繊維部材から下部方向に伸びて前記陰嚢と股の内側肉を離間させる板状の第２繊維部材と、
前記第１繊維部材と前記第２繊維部材との間に形成されて前記陰嚢を空気中に完全に突出させる第１開口部とを含み、
腰を包むバンドをさらに含み、
前記第１繊維部材および第２繊維部材は前記バンドに連結され、
前記第２繊維部材の両側端を前記バンドの前面または両側に連結する第１連結部材と、
前記第１開口部の両側を前記バンドの背面、前面または両側に連結する第２連結部材とをさらに含み、
前記第１、第２連結部材はひも形態であることを特徴とする男性用下着。
【請求項３】
前記第２連結部材が前記第１繊維部材に連結され、
前記第２連結部材と前記第１繊維部材は前記第１開口部の上部領域に沿って前記第１繊維部材が前記陰茎を陰茎と陰嚢とが接触する線の周りに沿って包み込みながら人体に密着させるようにＵ字形状に構成され、
前記第１開口部の上部領域を形成する前記第１繊維部材の下部部分が前記陰茎の下端部である陰茎と陰嚢の境界線領域に沿って位置して前記陰茎が前記第１開口部の中から飛び出さないように防ぎ、前記第１開口部の上部領域の上方を形成する前記第１繊維部材は陰茎が前に倒れないように引き締めて前記陰茎を前記第１繊維部材内に収めるようにし、
前記第２連結部材および第１繊維部材が一体に製造されたりまたは前記第２連結部材および第１繊維部材がそれぞれ製造された後、相互結合して製造されたことを特徴とする請求項２に記載の男性用下着。
【請求項４】
前記第２連結部材の間にはお尻全体を包む逆三角部材がさらに形成されたことを特徴とする請求項２に記載の男性用下着。
【請求項５】
前記第１、第２繊維部材、第１開口部およびバンドはボクサーパンツ、ズロース、ロングズロース、三角パンツ、半ズボン、ズボン、寝巻、ジャージズボン、下部下着またはスカート内部に形成されたことを特徴とする請求項２に記載の男性用下着。
【請求項６】
前記陰嚢を視線から遮断せしめる視線遮断膜をさらに含むことを特徴とする請求項２に記載の男性用下着。
【請求項７】
陰茎全体を陰嚢の反対方向に立てて前記陰茎全体が前記陰嚢から離間させる第１繊維部材と、
前記第１繊維部材を中心に対向する両側の外側方向にそれぞれ伸びて、前記陰嚢と股の内側肉とを離間させる一対の第２繊維部材と、
前記一対の第２繊維部材の間であって、前記第１繊維部材の下部に形成されて、前記陰嚢を空気中に完全に突出させるようにする空間部と、
前記空間部と接触する前記第１繊維部材の下端に形成されて前記陰茎が前記陰嚢側に傾かないように前記陰茎を加圧する第１伸縮性帯とを含むことを特徴とする男性用下着。
【請求項８】
前記第１伸縮性帯は前記第１繊維部材に裁縫され、
前記第１伸縮性帯は両側端を含み、前記両側端が前記一対の第２繊維部材までにそれぞれ延長されたことを特徴とする請求項７に記載の男性用下着。
【請求項９】
前記第２繊維部材と接触する前記第１繊維部材の両側端にそれぞれ形成されて前記陰茎が左側または右側に傾かないように身体に加圧される一対の第２伸縮性帯をさらに含み、
前記第２伸縮性帯は前記第１繊維部材に裁縫されたことを特徴とする請求項７に記載の男性用下着。
【請求項１０】
腰を包むバンドをさらに含み、前記第１、第２繊維部材の上端が前記バンドに連結され、
前記第１繊維部材の両側下端をそれぞれ前記バンドの両側または後方に連結する一対の第３伸縮性帯をさらに含み、
前記第２繊維部材において前記空間部と接触する周り領域は前記第３伸縮性帯を包み、
前記第２繊維部材において前記空間部と接触する下端領域は前記第３伸縮性帯に裁縫され、
前記第２伸縮性帯は前記第３伸縮性帯に連結されたことを特徴とする請求項９に記載の男性用下着。
【請求項１１】
前記第３伸縮性帯は外側衣類に結合され、前記第２伸縮性帯の下端に結合されることを特徴とする請求項１０に記載の男性用下着。
【請求項１２】
前記第３伸縮性帯は長さ調節部をさらに含むことを特徴とする請求項１０に記載の男性用下着。
【請求項１３】
前記第１繊維部材および前記第２繊維部材は外側衣類の内側に位置し、
前記陰嚢と対応する前記第１繊維部材の下端には裁縫線がない一つの視線遮断膜を前記外側衣類に取り付けたことを特徴とする請求項７に記載の男性用下着。
【請求項１４】
前記第１繊維部材は前記空間部の両側の下部方向に延長された延長部をさらに含み、
前記延長部は前記陰嚢と股との間に位置することを特徴とする請求項７に記載の男性用下着。
【請求項１５】
前記第１伸縮性帯は上に凸の放物線形態であることを特徴とする請求項７に記載の男性用下着。
【発明の詳細な説明】
【技術分野】
【０００１】
本発明は、男性用下着に関する。
【背景技術】
【０００２】
一般に、下着（ｕｎｄｅｒｗｅａｒ）は上着の中に着る服の総称で、皮膚の汚染を防止し保温機能を有する衛生的な下着と、上着の形を整理し体型の欠点を補正する実用的なファンデーションの種類、および装飾を兼ねたランジェリーなどがある。
【０００３】
ここで、男性用下着は、ズボンの股下がなく、股にぴったり合うようにデザインされた三角パンツ（ｂｒｉｅｆ）、股を引き締めてお尻を弾力のあるように見せかけるズロース（ｄｒａｗｅｒｓ）、通気性とファッション性に優れたボクサーパンツ（ｂｏｘｅｒ−ｓｔｙｌｅ）等を意味する。
【０００４】
このような男性用下着は、基本的に陰茎、陰嚢（睾丸）およびお尻を包んでいる形態をしており、これにより様々な問題が発生する。
【０００５】
例えば、従来の男性用下着の中でボクサーパンツの場合は、陰茎がボクサーパンツの内側で左股または右股のいずれか一方の狭い空間に偏って入ってボクサーパンツの一方の股の狭苦しい空間中で陰茎が陰嚢の上に乗せられて、時にはくっついているようになり、また陰嚢が股の内側肉に直接くっついていることで、陰茎と股の内側肉が陰嚢に熱、圧迫および／または湿気を伝達するようになり、さらに陰茎が陰嚢を押さえ込んで圧迫が加わるという問題があった。
【０００６】
このようなボクサーパンツとは異なり、陰茎と陰嚢のくっつきや陰嚢と股の内側肉が直接くっつかないように考案された三角パンツやズロースの場合は、陰嚢表面を包み込んでくれる風呂敷の中に陰嚢を包み込むことで、陰嚢から発生する熱と湿気（嚢湿）が陰嚢風呂敷の中に閉じ込められて溜まるだけでなく、また陰嚢が陰嚢風呂敷による圧迫を受けるようになる。
【０００７】
このような熱および圧迫は、陰嚢の健康を悪化させて精子数の減少および男性不妊現象を誘発するだけでなく、湿気は嚢湿、かゆみおよび悪臭のような現象を誘発させ、これにより、数多くの男性が深刻なストレスと苦痛を受けているのが実情である。
【発明の概要】
【発明が解決しようとする課題】
【０００８】
本発明が解決しようとする技術的課題は、陰茎の表面が陰嚢から完全に離間するように陰茎全体を陰嚢から離隔し、陰嚢を股の内側肉に直接接触しないように陰嚢を股の内側肉から離間させ、陰嚢を外部からの空気中に直接露出させてつり下がっていることで、陰嚢の表面に対する通気性が極大化されて陰嚢と陰嚢内の睾丸をより効果的に冷やすことができ、また従来の男性用下着が陰嚢の表面全体を陰嚢風呂敷で包み込んだり、陰茎が陰嚢を押し付けられるときに陰嚢に加わる圧迫もない男性用下着を提供することにある。
【課題を解決するための手段】
【０００９】
本発明に係る男性用下着は、陰茎を陰嚢の反対方向に立てて前記陰茎を陰嚢から離間させる板状の第１繊維部材と、前記第１繊維部材から下部方向に伸びて前記陰嚢と股の内側肉を離間させる板状の第２繊維部材と、前記第１繊維部材と前記第２繊維部材との間に形成されて前記陰嚢を空気中に完全に突出させる第１開口部とを含み、前記第１開口部により前記第２繊維部材が２つの部材に分割されることを特徴とする。
【００１０】
また、本発明に係る男性用下着は、陰茎を陰嚢の反対方向に立てて前記陰茎を陰嚢から離間させる板状の第１繊維部材と、前記第１繊維部材から下部方向に伸びて前記陰嚢と股の内側肉を離間させる板状の第２繊維部材と、前記第１繊維部材と前記第２繊維部材との間に形成されて前記陰嚢を空気中に完全に突出させる第１開口部とを含み、腰を包むバンドをさらに含み、前記第１繊維部材および第２繊維部材は前記バンドに連結され、前記第２繊維部材の両側端を前記バンドの前面または両側に連結する第１連結部材と、前記第１開口部の両側を前記バンドの背面、前面または両側に連結する第２連結部材とをさらに含み、前記第１、第２連結部材はひも形態であることを特徴とする。
【００１１】
前記第２連結部材は前記第１繊維部材に連結され、前記第２連結部材と前記第１繊維部材は前記第１開口部の上部領域に沿って前記第１繊維部材が前記陰茎を陰茎と陰嚢とが接触する線の周りに沿って包み込みながら人体に密着されるようにＵ字形状に構成され、前記第１開口部の上部領域を形成する前記第１繊維部材の下部部分が前記陰茎の下端部である陰茎と陰嚢の境界線領域に沿って位置して前記陰茎が前記第１開口部の中から飛び出さないように防ぎ、前記第１開口部の上部領域の上方を形成する前記第１繊維部材は陰茎が前に倒れないように押さえて前記陰茎を前記第１繊維部材内に収めるようにし、前記第２連結部材および第１繊維部材が一体に製造されたりまたは前記第２連結部材および第１繊維部材がそれぞれ製造された後、相互結合して製造される。
【００１２】
前記第２連結部材の間にはお尻全体を包んでいる逆三角部材がさらに形成される。
【００１３】
前記第１、第２繊維部材、第１開口部およびバンドはボクサーパンツ、ズロース、ロングズロース、三角パンツ、半ズボン、ズボン、寝巻、ジャージズボン、下部下着またはスカート内部に形成される。
【００１４】
前記陰嚢を視線から遮断せしめる視線遮断膜をさらに含む。
【００１５】
本発明に係る男性用下着は、陰茎全体を陰嚢の反対方向に立てて前記陰茎全体が前記陰嚢から離間させる第１繊維部材と、前記第１繊維部材を中心に対向する両側の外側方向にそれぞれ伸びて、前記陰嚢と股の内側肉とを離間させる一対の第２繊維部材と、前記一対の第２繊維部材の間で、前記第１繊維部材の下部に形成されて、前記陰嚢を空気中に完全に突出させる空間部と、前記空間部と接触する前記第１繊維部材の下端に形成されて前記陰茎が前記陰嚢側に傾かないように前記陰茎を加圧する第１伸縮性帯とを含む。
【００１６】
前記第１伸縮性帯は、前記第１繊維部材に裁縫され、前記第１伸縮性帯は両側端を含み、前記両側端は前記一対の第２繊維部材までにそれぞれ延長される。
【００１７】
前記第２繊維部材と接触する前記第１繊維部材の両側端にそれぞれ形成されて前記陰茎が左側または右側に傾かないように身体に加圧される一対の第２伸縮性帯をさらに含み、前記第２伸縮性帯は前記第１繊維部材に裁縫される。
【００１８】
腰を包むバンドをさらに含み、前記第１、第２繊維部材の上端は前記バンドに連結され、前記第１繊維部材の両側下端はそれぞれ前記バンドの両側または後方に連結する一対の第３伸縮性帯をさらに含み、前記第２繊維部材のうち前記空間部と接触する周り領域は前記第３伸縮性帯を囲み、前記第２繊維部材のうち前記空間部と接触する下端領域は前記第３伸縮性帯に裁縫され、前記第２伸縮性帯は前記第３伸縮性帯に連結される。
前記第３伸縮性帯は外側衣類に結合し、前記第２伸縮性帯の下端に結合する。
【００１９】
前記第３伸縮性帯は長さ調節部をさらに含む。
【００２０】
前記第１繊維部材および前記第２繊維部材は外側衣類の内側に位置し、前記陰嚢と対応する前記第１繊維部材の下端には裁縫線がない一つの視線遮断膜が前記外側衣類に取り付けられる。
【００２１】
前記第１繊維部材は、前記空間部の両側の下部方向に延長された延長部をさらに含み、前記延長部は前記陰嚢と股との間に位置する。
【００２２】
前記第１伸縮性帯は、上に凸の放物線形態である。
【発明の効果】
【００２３】
本発明の一実施形態に係る男性用下着は、陰茎の全体表面が陰嚢から完全に離間するように陰嚢から離隔させ、陰嚢を股の内側肉と直接接触しないように股の内側肉から離間させ、陰嚢が外部からの空気中に直接露出するようにつり下がっていることで、陰嚢の表面に対する通気性が極大化されて陰嚢と陰嚢内の睾丸をより効果的に冷やすことができる。
【００２４】
このように、陰嚢が外部からの空気中に露出すれば、陰嚢の表面に対する通気性が極大化されて陰嚢が効率的に冷やされ、また陰嚢の表面がより容易に息をしながら熱と共に湿気も排出して嚢湿が溜まる問題も解消できる。もちろん、嚢湿に伴うかゆみおよび悪臭現象も防止できる。
【００２５】
また、本発明に係る男性用下着は、陰茎全体を陰嚢の反対方向に立てて陰茎全体が陰嚢から離間させる繊維部材において、前述した繊維部材の下端に第１伸縮性帯がさらに形成されるようにし、また前述した繊維部材の両側端に第２伸縮性帯がさらに形成されるようにすることで、陰茎が下部方向である陰嚢側に傾かないようにするだけでなく、陰茎が左側方向または右側方向に一定の角度以上傾かないようにする。つまり、本発明に係る男性用下着は、着用者が多様な形態で動いても、陰茎全体が常に陰嚢の反対方向に立てられて陰茎全体が陰嚢から完全に離間されるようにする。
【００２６】
さらに、本発明に係る男性用下着は、繊維部材と腰バンドとの間に第３伸縮性帯を形成したものの、このような第３伸縮性帯は長さ調節部を有することによって、着用者自身の身体サイズに適するように第３伸縮性帯の長さを調節できる。つまり、着用者自身の身体サイズに最適化した長さで第３伸縮性帯の長さを適切に調節することによって、最も安らかな状態で自分自身の陰茎全体を陰嚢の反対方向に立てて、陰茎全体が陰嚢から離間されるようにすることができる。
【図面の簡単な説明】
【００２７】
【図１ａ】本発明の一実施形態に係る男性用下着を示した正面図である。
【図１ｂ】本発明の一実施形態に係る男性用下着を示した背面図である。
【図２ａ】本発明の一実施形態に係る男性用下着の着用状態を示した正面図である。
【図２ｂ】本発明の一実施形態に係る男性用下着の着用状態を示した背面図である。
【図３ａ】本発明の他の実施形態に係る男性用下着を示した正面図である。
【図３ｂ】本発明の他の実施形態に係る男性用下着を示した背面図である。
【図４】本発明に係る男性用下着がボクサーパンツに適用された例を示した正面図である。
【図５】本発明のまた他の実施形態に係る男性用下着を示した正面図である。
【図６】本発明のまた他の実施形態に係る男性用下着を示した正面図である。
【図７】本発明のまた他の実施形態に係る男性用下着を示した正面図である。
【図８】本発明のまた他の実施形態に係る男性用下着を示した正面図である。
【図９】本発明のまた他の実施形態に係る男性用下着を示した正面図である。
【図１０】本発明のまた他の実施形態に係る男性用下着を示した正面図である。
【図１１ａ】本発明に係る男性用下着において力が作用する状態を説明するための図である。
【図１１ｂ】本発明に係る男性用下着において力が作用する状態を説明するための図である。
【図１１ｃ】本発明に係る男性用下着において力が作用する状態を説明するための図である。
【図１２ａ】本発明のまた他の実施形態に係る男性用下着の正面図である。
【図１２ｂ】本発明のまた他の実施形態に係る男性用下着の着用状態を示した背面図である。
【図１３ａ】本発明のまた他の実施形態に係る男性用下着を示した正面図である。
【図１３ｂ】本発明のまた他の実施形態に係る男性用下着を示した背面図である。
【図１４ａ】本発明のまた他の実施形態に係る男性用下着の着用状態を示した正面図である。
【図１４ｂ】本発明のまた他の実施形態に係る男性用下着の着用状態を示した背面図である。
【図１４ｃ】本発明のまた他の実施形態に係る男性用下着の着用状態を示した側面図である。
【図１５ａ】本発明のまた他の実施形態に係る男性用下着を示した正面図である。
【図１５ｂ】本発明のまた他の実施形態に係る男性用下着を示した背面図である。
【図１６ａ】本発明に係る男性用下着がボクサーパンツに適用された例を示した正面図である。
【図１６ｂ】本発明に係る男性用下着がボクサーパンツに適用された例を示した正面図である。
【図１６ｃ】本発明に係る男性用下着がボクサーパンツに適用された例を示した正面図である。
【図１６ｄ】図１６ｃにおける１６ｄ−１６ｄ切断線における部分断面図である。
【図１７】本発明のまた他の実施形態に係る男性用下着を示した正面図である。
【図１８】本発明のまた他の実施形態に係る男性用下着を示した正面図である。
【図１９】本発明のまた他の実施形態に係る男性用下着を示した正面図である。
【図２０ａ】本発明のまた他の実施形態に係る男性用下着を撮影した平面図である。
【図２０ｂ】本発明のまた他の実施形態に係る男性用下着を撮影した側面図である。
【図２１】本発明のまた他の実施形態に係る男性用下着の着用状態を示した側面図である。
【図２２ａ】本発明のまた他の実施形態に係る男性用下着をそれぞれ示した正面図である。
【図２２ｂ】本発明のまた他の実施形態に係る男性用下着をそれぞれ示した背面図である。
【図２２ｃ】本発明のまた他の実施形態に係る男性用下着をそれぞれ示した側面図である。
【図２３】図２２ａに示された男性用下着においてボクサーパンツの前面部を除去した状態を示した正面図である。
【図２４ａ】本発明のまた他の実施形態に係る男性用下着をそれぞれ示した正面図である。
【図２４ｂ】本発明のまた他の実施形態に係る男性用下着をそれぞれ示した背面図である。
【図２４ｃ】本発明のまた他の実施形態に係る男性用下着をそれぞれ示した平面図である。
【図２５ａ】本発明のまた他の実施形態に係る男性用下着をそれぞれ示した正面図である。
【図２５ｂ】本発明のまた他の実施形態に係る男性用下着をそれぞれ示した背面図である。
【図２５ｃ】本発明のまた他の実施形態に係る男性用下着をそれぞれ示した平面図である。
【図２６ａ】本発明のまた他の実施形態に係る男性用下着をそれぞれ示した正面図である。
【図２６ｂ】本発明のまた他の実施形態に係る男性用下着をそれぞれ示した背面図である。
【図２６ｃ】本発明のまた他の実施形態に係る男性用下着をそれぞれ示した平面図である。
【図２７ａ】ブリーフ、ズロースおよびロングズロースの概念を説明するための正面図である。
【図２７ｂ】ブリーフ、ズロースおよびロングズロースの概念を説明するための背面図である。
【発明を実施するための形態】
【００２８】
以下、添付図面を参照して本発明の望ましい実施形態を詳しく説明する。
本発明の実施形態は本技術分野において通常の知識を有する者に本発明をより完全に説明するために提供されるものであり、下記実施形態は様々な他の形態に変形することができ、本発明の範囲が下記実施形態に限定されるものではない。むしろ、これら実施形態は本開示をより充実かつ完全になるようにし、当業者に本発明の思想を完全に伝達するために提供されるものである。
【００２９】
また、以下の図面において、各層の厚さや大きさは説明の便宜および明確性のために誇張されたものであり、図面上で同一符号は同一な要素を示す。本明細書で用いられたように、‘および／または’という用語は本記載された項目のうちいずれか一つおよび一つ以上のすべての組み合わせを含む。
【００３０】
本明細書で用いられる用語は、特定の実施形態を説明するために用いられ、本発明を限定しようとするものではない。本明細書に用いられたように、単数型は文脈上異なる場合を明白に指摘するものでない限り、複数型を含むことができる。また、本明細書で用いられる‘含む（ｃｏｍｐｒｉｓｅ）’および／または‘含んでいる（ｃｏｍｐｒｉｓｉｎｇ）’は言及された形状、数字、段階、動作、部材、要素および／またはこれらの組み合わせが存在することを特定するものであり、一つ以上の他の形状、数字、動作、部材、要素および／またはこれらの組み合わせの存在または付加を排除するものではない。さらに、本明細書で、例えば、“Ａ部材とＢ部材が連結される”という表現はＡ部材とＢ部材とが直接連結することを意味するだけでなく、Ａ部材とＢ部材との間にＣ部材が介在して間接連結することを意味する。
【００３１】
本明細書で第１、第２などの用語が多様な部材、部品、領域、層および／または部分を説明するために用いられるが、これら部材、部品、領域、層および／または部分は、前記用語によって限定されてはならないということは明らかであろう。前記用語は一つの部材、部品、領域、層または部分を他の領域、層または部分から区別する目的にのみ用いられる。したがって、以下に説明する第１部材、部品、領域、層または部分は、本発明の思想を外れなくても諸部材、部品、領域、層または部分を指称することができる。
【００３２】
図１ａおよび図１ｂは、本発明の一実施形態に係る男性用下着１００を示した正面図および背面図である。
【００３３】
図１ａおよび図１ｂに示されているように、本実施形態に係る男性用下着１００は、板状の第１繊維部材１１０と、板状の第２繊維部材１２０と、第１、第２繊維部材１１０、１２０の間に形成された第１開口部１３０とを含む。また、本実施形態に係る男性用下着１００は、伸縮性腰バンド１４０を含んでもよい。さらに、本実施形態に係る男性用下着１００は、第１、第２繊維部材１１０、１２０を腰バンド１４０に連結する第１、第２連結部材１５０、１６０を含んでもよい。
【００３４】
第１繊維部材１１０は、陰茎を陰嚢の反対方向（言い換えれば、陰嚢からヘソに向かう方向）に立てて陰茎が陰嚢から離隔されるようにほぼ四角の板形状に形成される。このため、第１繊維部材１１０は陰茎の下方を支えて上げられ、陰茎を陰嚢の反対方向に立てることによって、陰茎の上端を陰嚢から離間させる。このようにして、陰茎と陰嚢とが離間することによって、陰茎が陰嚢に熱や圧迫を加えないようになる。さらに、このような第１繊維部材１１０に多数の切開部１１１をさらに形成することによって、陰茎に外部空気が容易に出入りされることができる。また、このような第１繊維部材１１０は、陰茎がほとんど覆われる程度の面積で形成することができるが、本発明はこれに限定されるものではない。
【００３５】
ただし、図１ａに示されたように、陰茎を除いたその左、右側の身体部分がほとんど男性用下着１００の外側に露出するようにして、通気性を向上させることが望ましい。実質的に、陰茎を除いたその左、右側の身体部分およびお尻がほとんど男性用下着１００の外側に露出することによって、陰茎を除いた左、右側領域およびお尻に対する通気性が向上する。
【００３６】
さらに、図においては第１繊維部材１１０の平面形態をほぼ四角形態に示されているが、このような形態に限定されるものではなく、円形、楕円形、台形、三角形、五角形、六角形などの多様な平面的な形態が可能である。
【００３７】
第２繊維部材１２０は第１繊維部材１１０から下部方向に伸びて陰嚢と股の内側肉が離間されるようにほぼ四角の板形状に形成される。このため、第２繊維部材１２０は陰嚢と股の内側肉の間に介在する。さらに、第２繊維部材１２０は両側の股の内側肉の間にも介在することにより、陰嚢と股の内側肉の離間だけでなく、両側股の内側肉間の離間も可能になる。このように、陰嚢が股の内側肉と離間されることによって、陰嚢と股の内側肉の間に熱、圧迫および湿気が集中せず、このため、嚢湿および／またはかゆみ現象が改善される。また、第２繊維部材１２０は実質的に第１繊維部材１１０の面積より相対的に大きい面積を有することによって、陰嚢と股の内側肉の間の離間面積および両側股の内側肉間の離間面積を十分に確保することができる。さらに、図においては第２繊維部材１２０の平面形態をほぼ四角形態に示されているが、本発明はこのような形態に限定されるものではなく、円形、楕円形、台形、三角形、五角形、六角形などの多様な平面的な形態が可能である。
【００３８】
前述と同様に、第２繊維部材１２０をほぼ四角板形状に形成することによって、股の内側肉と前方肉を覆うだけで、股の外側両側部肉と後方肉を覆わないようになる。つまり、股の外側両側部肉と後方肉は、ほとんど男性用下着１００の外側に露出することによって、この部分に対する通気性が向上する。
【００３９】
また、このような第１、第２繊維部材１１０、１２０は綿、麻、毛、絹のような天然繊維、レーヨン、アセテートのような再生繊維、ナイロン、アクリル、ポリエステル、ポリウレタンのような合成繊維、およびその等価物の中から選択されるいずれか一つまたはその混合物で製造できるが、本発明は第１、第２繊維部材１１０、１２０の種類に限定されるものではない。さらに、このような第１、第２繊維部材１１０、１２０は、ポリウレタンを主成分にして伸縮性に優れたスパンデックス繊維が用いられるが、本発明はこれに限定されるものではない。
【００４０】
第１開口部１３０は第１繊維部材１１０と第２繊維部材１２０との間に形成され、陰嚢が空気中に完全に突出および露出するようにする。このために、第１繊維部材１１０と第２繊維部材１２０との間に第１開口部１３０の左、右両側部に離隔して位置する連結部材１２１を介在してもよい。このような連結部材１２１は、第１繊維部材１１０または第２繊維部材１２０から伸びたものであるか、あるいは別途のひもであることもある。さらに、第１開口部１３０は陰嚢の大きさと同じであるか、あるいは陰嚢の大きさより大きいこともある。このようにして、第１開口部１３０を通じて陰嚢が空気中に完全に突出、露出およびつり下がっているようになることで、陰嚢の表面に対する通気性が極大化されて陰嚢と陰嚢内の睾丸をより効率的に冷やすことができる。また、第１開口部１３０を通じて突出、露出およびつり下がっているようになった陰嚢は、その下側一部が時により第２繊維部材１２０に接触するだけで、前述のように股の内側肉と直接接触しなくなることによって、股の内側肉から発生した熱を陰嚢の表面に移転したり、あるいは陰嚢の表面から発生した熱が外部に発散されることを妨害しなく、陰嚢と股の内側肉の間で発生できる嚢湿、かゆみおよび／または悪臭現象を防止することもできる。
【００４１】
言い換えれば、陰嚢が第１繊維部材１１０と第２繊維部材１２０との間に形成された第１開口部１３０を通じて外部空気に突出、露出およびつり下がっている形態をすることにより、自然に陰嚢と股の内側肉の間に第２繊維部材１２０が介在する。したがって、陰嚢と股の内側肉の間に第２繊維部材１２０を介在することによって、陰嚢と股の内側肉の間で発生できる湿気を第２繊維部材１２０が吸収して嚢湿現象を防止するようになる。さらに、前記のような構成によって両側の股の内側肉間にも第２繊維部材１２０を自然に介在することによって、両側の股の内側肉間の摩擦による不便さも改善するようになる。
【００４２】
また、図においては第１開口部１３０の平面形態がほぼ四角形態に示されているが、本発明はこのような形態に限定されるものではなく、円形、楕円形、台形、三角形、五角形、六角形などの多様な平面的な形態が可能である。
【００４３】
腰バンド１４０は、着用者の腰を包むようにほぼ円形の伸縮性帯形状に形成され、腰バンド１４０には第１繊維部材１１０および／または第２繊維部材１２０が直接、あるいは間接的に連結される。腰バンド１４０は、多数のゴムひもとこれを包む伸縮性繊維からなることによって、着用者の腰を弾力的に包むことができる。さらに、このような腰バンド１４０は、第１繊維部材１１０および第２繊維部材１２０が人体から分離しなく、一定の形態を保持するようにする役割を果たす。
【００４４】
前述のように、腰バンド１４０には第１繊維部材１１０および／または第２繊維部材１２０が直接連結される。例えば、第１繊維部材１１０の上端全体を腰バンド１４０に直接連結することによって、陰茎を完全に風呂敷形態に包んで陰茎を外部視線から完全に遮断することができる。
【００４５】
また、第１繊維部材１１０の上端とバンド１４０の間に、第２開口部１１２をさらに形成することによって、陰茎の膨張時にこれを効果的に受け入れて、小便時に腰バンド１４０まで降りなくても小便をするようになる。もちろん、このような第２開口部１１２の形成のために、第１繊維部材１１０と腰バンド１４０との間に第１繊維部材１１０と腰バンド１４０とを連結する連結部材１１３をさらに形成することができる。このような連結部材１１３は、第１繊維部材１１０の両側上端から伸びて腰バンド１４０に連結したものであるか、あるいは別途のひもであることもある。
【００４６】
また、第２繊維部材１２０の両側上端終端は第１連結部材１５０を通じて腰バンド１４０の前面または両側部に連結され、また第１開口部１３０の両側部（または連結部材１２１）は第２連結部材１６０を通じて腰バンド１４０の背面や前面両側の近いところに連結される。
【００４７】
ここで、第１、第２連結部材１５０、１６０は、第２繊維部材１２０から伸びて形成されたものであるか、あるいは別途の伸縮性ひもであることもある。また、第２連結部材１６０の下端は第１繊維部材１１０の両側下端終端に連結したり、または第２連結部材１６０の下端を第２繊維部材１２０のほぼ両側上端の中央に連結することもできる。本発明は、第２連結部材１６０の下端に対する連結領域を限定するものではないが、陰嚢が第１開口部１３０を通じて外部空気に直接突出、露出およびつり下がっている形態を保持するように、第２連結部材１６０の下端は第１開口部１３０のほぼ下部領域に連結することが望ましい。さらに、このような第２連結部材１６０の下端は第１開口部１３０の両側に位置した連結部材１２１に連結することもできる。
【００４８】
このように、第１、第２連結部材１５０、１６０をほぼ薄いひも形状に形成することによって、本実施形態に係る男性用下着１００の通気効果が極大化され、また第１、第２連結部材１５０、１６０が伸縮性材料からなることによって、第１、第２繊維部材１１０、１２０が人体に強く密着するようになる。したがって、陰茎および陰嚢の位置が前述した位置から外れないようになる。
【００４９】
また、第２連結部材１６０は腰バンド１４０の背面に連結されるとともに、ほぼＵ字形状に伸びて第１繊維部材１１０の両側端に結合されたまま腰バンド１４０の前面に結合される。つまり、Ｈ字形態の構造において（このようなＨ字形態の構造は以下で詳細に説明する）、第１繊維部材１１０の下端部の水平部材を担当する領域を除いたＨ字構造のうち、両側の二つの垂直部材（背面の腰バンドから前面の腰バンドまで連結された第２連結部材１６０）をそれぞれ一つの部材にして、その部材の一端はバンド１４０から垂れるようにし、他端は再び腰バンド１４０から上げるようにすることでほぼＵ字構造を形成するようにし、延長された第２連結部材１６０に第１繊維部材１１０の両側部と共に結合して一体をなし、かつ第１繊維部材１１０の下部領域がＨ字構造中に水平部材をなすことになる。
【００５０】
このような場合、一定の伸縮性を有する第２連結部材１６０を基本構造枠となるようにすることによって、多様な伸縮性と特性を有する素材を第１繊維部材１１０として用いて製品を作っても強度や弾力性などが安定した素材が用いられて、安定した構造を提供でき、そのために、安定した着用感を持った男性用下着を製造することができる。
【００５１】
また、このような第１、第２連結部材１５０、１６０も綿、麻、毛、絹のような天然繊維、レーヨン、アセテートのような再生繊維、ナイロン、アクリル、ポリエステル、ポリウレタンのような合成繊維およびその等価物の中から選択されるいずれか一つまたはその混合物からなるが、本発明は第１、第２連結部材１５０、１６０の種類に限定されるものではない。
【００５２】
このようにして、本実施形態に係る男性用下着１００は陰茎の表面が陰嚢から完全に離間するように陰茎を離隔し、陰嚢を股の内側肉と直接接触しないように離間させ、陰嚢を空気中に突出および露出させてつり下がっているようにすることで、陰嚢の表面に通気性が極大化されて陰嚢と陰嚢内の睾丸をより効果的に冷やすことができる。また、このように陰嚢が空気中に露出すれば、陰嚢の表面に通気性が極大化され、また、陰嚢がより容易に息をしながら熱と共に湿気も排出することによって、嚢湿、かゆみおよび／または悪臭現象を改善することができる。
【００５３】
図２ａおよび図２ｂは、本発明の一実施形態に係る男性用下着１００の着用状態を示した正面図および背面図である。
【００５４】
図２ａに示されているように、第１繊維部材１１０は陰茎を陰嚢の反対方向に立てて陰茎が陰嚢から離間するようにし、第２繊維部材１２０は第１繊維部材１１０から下部方向に伸びて陰嚢と股の内側肉を離間させる。さらに、第１、第２繊維部材１１０、１２０の間に形成された第１開口部１３０を通じて陰嚢が外部からの空気中に完全に突出、露出およびつり下がっているようにすることで、陰嚢の表面に通気性が極大化されて陰嚢と陰嚢内の睾丸をより効果的に冷やすことができる。もちろん、そのために、陰嚢の表面に通気性が極大化され、また陰嚢がより容易に息をしながら熱と共に湿気も排出して嚢湿、かゆみおよび／または悪臭現象が予防される。
【００５５】
また、伸縮性腰バンド１４０は着用者の腰を包み、このような腰バンド１４０に前述した第１、第２繊維部材１１０、１２０が直接、または間接的に連結される。一例として、第１繊維部材１１０は、別途の第２開口部１１２を有し、腰バンド１４０の前方に連結される。したがって、勃起時にも陰茎を十分に包み、また小便時にもバンド１４０をおろす必要なしに小便をすることができる。また、第２繊維部材１２０は左、右両側端が第１連結部材１５０を通じてバンド１４０の前面または両側にそれぞれ結合することによって、第２繊維部材１２０は一定の形態を保持し、またバンド１４０から分離しない。
【００５６】
さらに、図２ｂを参照すれば、第１開口部１３０の両側、第１繊維部材１１０のほぼ下端中央部、または第２繊維部材１２０のほぼ上端中央部が第２連結部材１６０を通じて腰バンド１４０の背面や前面の両側の近いところにそれぞれ結合することによって、第２繊維部材１２０は第１、第２連結部材１５０、１６０によって腰バンド１４０から安定的に保持され、一定の形態を保持するようになる。このようにして、本発明の一実施形態は陰茎の表面が陰嚢から完全に離間するように陰茎を離隔し、陰嚢を股の内側肉と直接接触しないように離間させ、陰嚢を外部からの空気中に突出および露出させてつり下がっているようにすることで、陰嚢の表面に通気性が極大化されて陰嚢と陰嚢内の睾丸をより効果的に冷やすことができる男性用下着１００を提供するようになる。
【００５７】
図３ａおよび図３ｂは、本発明の他の実施形態に係る男性用下着２００を示した正面図および背面図である。ここで、本発明の他の実施形態に係る男性用下着２００は、前述した男性用下着１００とほとんど同じであるので、差異点を中心にして説明する。
【００５８】
図３ａおよび図３ｂに示されているように、本発明の他の実施形態に係る男性用下着２００は、第２連結部材１６０の間にお尻全体を包むように一定の面積を有するほぼ逆三角部材２７０をさらに形成することができる。もちろん、このような逆三角部材２７０の上端全体は腰バンド１４０に結合し、下端はほぼ第２繊維部材１２０の上端、第１繊維部材１１０の下端または連結部材１２１（図１参照）に連結される。
【００５９】
また、このような逆三角部材２７０も綿、麻、毛、絹のような天然繊維、レーヨン、アセテートのような再生繊維、ナイロン、アクリル、ポリエステル、ポリウレタンのような合成繊維およびその等価物の中から選択されるいずれか一つまたはその混合物からなるが、本発明は逆三角部材２７０の種類に限定されるものではない。
【００６０】
したがって、本発明の他の実施形態に係る男性用下着２００は、陰茎の表面が陰嚢から完全に離間するように陰茎を離隔し、陰嚢を股の内側肉と直接接触しないように離間させ、陰嚢を外部からの空気中に突出、露出させてつり下がっているようにすると同時に、逆三角部材２７０がお尻全体を覆うようになる。また、何よりも使用者が男性用下着２００を着用する時に第２連結部材１６０の間の広く開いている空間に足を間違って挿入することが生じないようにすることにより、誰でも容易に男性用下着２００を着用することができる。
【００６１】
図４は、本発明に係る男性用下着がボクサーパンツに適用された例を示した正面図である。
【００６２】
図４に示されているように、前述した本発明の実施形態に係る男性用下着３００はボクサーパンツ３１０の内部に設けられる。つまり、前述した第１繊維部材１１０、第２繊維部材１２０、第１開口部１３０、腰バンド１４０、第１連結部材１５０、および第２連結部材１６０等が通常のボクサーパンツ３１０の内部に設けられる。このとき、腰バンド１４０は、実質的にボクサーパンツ３１０をなす腰を包むベルトであることもあるが、本発明はこれに限定されるものではない。
【００６３】
このように本実施形態に係る男性用下着３００をボクサーパンツ３１０の内部に設けることによって、既存の道徳的観念（陰嚢がボクサーパンツの外側から見えない）から逸脱しないながらも、本発明の作用効果つまり、陰茎の表面が陰嚢から完全に離間するように陰茎を離隔し、陰嚢を股の内側肉と直接接触しないように離間させ、陰嚢を外部からの空気中に突出および露出させてつり下がっているようにすることで、陰嚢の表面に通気性が極大化されて陰嚢と陰嚢内の睾丸をより効果的に冷やすことができる。
【００６４】
もちろん、本実施形態に係る男性用下着３００は、前述したボクサーパンツ３１０以外に三角パンツまたはズロースの内部にも設けられ、本発明はこれに限定されるものではない。さらに、本実施形態に係る男性用下着は半ズボン、ズボン、寝巻、ジャージズボン、下部下着、またはスカート内部にも設けられる。
【００６５】
図５は、本発明のまた他の実施形態に係る男性用下着を示した正面図である。
【００６６】
図５に示されているように、本実施形態に係る男性用下着４００は三角パンツ４１０にも適用される。つまり、一般的な三角パンツ４１０に本実施形態に係る板状の第１繊維部材１１０、板状の第２繊維部材１２０、第１、第２繊維部材１１０、１２０の間に形成された第１開口部１３０が形成される。ここで、第１繊維部材１１０の両側から伸びてお尻を包む領域を第３繊維部材４２０と定義する。実質的に、図５に示された男性用下着４００は、一般的な三角パンツ４１０に第２繊維部材１２０と第１開口部１３０とがさらに形成されたものであると考えられる。
【００６７】
つまり、一般的な三角パンツ４１０が用意され、第１開口部１３０は三角パンツ４１０のうちの陰嚢と対応する領域に形成され、第２繊維部材１２０は三角パンツ４１０の外側として第１開口部１３０の下部方向に形成されることができる。このとき、第２連結部材であるひもはなくてもよい。つまり、第２連結部材がなくなる代わりに、第２連結部材と連結した第１開口部１３０の周辺は三角パンツ４１０の背面に存在するお尻版と連結される。したがって、このようなお尻版をひも形態の第２連結部材代わりにして、Ｈ字形態の構造を可能にする。
【００６８】
このように本実施形態に係る男性用下着４００を三角パンツ４１０に適用することによって、陰茎の表面が陰嚢から完全に離間するように陰茎を離隔し、陰嚢を股の内側肉と直接接触しないように離間させ、陰嚢を外部からの空気中に突出および露出させてつり下がっているようにすることで、陰嚢の表面に通気性が極大化されて陰嚢と陰嚢内の睾丸をより効果的に冷やすことができる。
【００６９】
ここで、第１開口部１３０の大きさは、陰嚢が十分に外側に突出してつり下がっている形態ができる程度の大きさを持つことは当然で、以下に示される全ての図に示された第１開口部１３０の大きさも同じである。
【００７０】
図６は、本発明のまた他の実施形態に係る男性用下着を示した正面図である。
【００７１】
図６に示されているように、本実施形態に係る男性用下着５００は視線遮断膜５１０をさらに含むことができる。このような視線遮断膜５１０は上、下部方向に長い直四角形状であって、視線遮断膜５１０の上端は第１繊維部材１１０に連結され、視線遮断膜５１０の下端は第２繊維部材１２０の上方までに延長される。ここで、視線遮断膜５１０は、前述のように上端が第１繊維部材１１０に連結され、下端は第２繊維部材１２０に連結しなかったり連結したとしても遮断膜がひっくり返されないほど非常に制限された部分だけ連結して通気を阻害したり陰嚢に圧迫を加えなく、単に陰嚢を覆うだけである。
【００７２】
このように本実施形態に係る男性用下着５００は、視線遮断膜５１０をさらに有することによって、既存の道徳的観念から逸脱しないながらも、本発明の作用効果つまり、陰茎の表面が陰嚢から完全に離間するように陰茎を離隔し、陰嚢を股の内側肉と直接接触しないように離間させ、陰嚢を外部からの空気中に突出および露出させてつり下がっているようにすることで、陰嚢の表面に通気性が極大化されて陰嚢と陰嚢内の睾丸をより効果的に冷やすことができる。
【００７３】
ここで、本実施形態においては視線遮断膜５１０を図６にだけ示したが、このような視線遮断膜５１０は前述した全ての実施形態または以下で説明する全ての実施形態に共通的に適用されることは当然である。
【００７４】
図７は、本発明のまた他の実施形態に係る男性用下着を示した正面図である。
【００７５】
図７に示されているように、本実施形態に係る男性用下着６００はズロース６１０にも適用される。つまり、一般的なズロース６１０に、本実施形態に係る板状の第１繊維部材１１０、板状の第２繊維部材１２０、第１、第２繊維部材１１０、１２０の間に形成された第１開口部１３０が形成される。ここで、第１繊維部材１１０の両側から伸びてお尻を包む領域を第３繊維部材４２０と定義し、また第３繊維部材４２０から伸びて股の周り全体を包み込む領域を第４繊維部材６２０と定義する。実質的に、図７に示された男性用下着６００は、一般的なズロース６１０に第２繊維部材１２０と第１開口部１３０とがさらに形成されたものであると考えられる。
【００７６】
つまり、一般的なズロース６１０が用意され、第１開口部１３０はズロース６１０中で陰嚢と対応する領域に形成され、第２繊維部材１２０はズロース６１０の外側として第１開口部１３０の下部方向に形成されてもよい。このとき、第２連結部材であるひもはなくてもよい。つまり、第２連結部材がなくなる代わりに、第２連結部材と連結した第１開口部１３０の周辺はズロース６１０の背面に存在するお尻版と連結される。したがって、このようなお尻版をひも形態の第２連結部材代わりにして、Ｈ字形態の構造を可能にする。
【００７７】
このように本実施形態に係る男性用下着６００をズロース６１０に適用することによって、股を引き締めてお尻を弾力のあるように見えるようにすると同時に、陰茎の表面が陰嚢から完全に離間するように陰茎を離隔し、陰嚢を股の内側肉と直接接触しないように離間させ、陰嚢を外部からの空気中に突出および露出させてつり下がっているようにすることで、陰嚢の表面に通気性が極大化されて陰嚢と陰嚢内の睾丸をより効果的に冷やすことができる。
【００７８】
図８は、本発明のまた他の実施形態に係る男性用下着を示した正面図である。
【００７９】
図８に示されているように、本実施形態に係る男性用下着７００はロングズロース７１０（ｌｏｎｇ  ｄｒａｗｅｒｓ）にも適用できる。つまり、一般的なロングズロース７１０に、本実施形態に係る板状の第１繊維部材１１０、板状の第２繊維部材１２０、第１、第２繊維部材１１０、１２０の間に形成された第１開口部１３０が形成される。ここで、第１繊維部材１１０の両側から伸びてお尻を包む領域を第３繊維部材４２０と定義する。さらに、第２繊維部材１２０は第１繊維部材１１０から伸びて股の周り全体を包み込む形態をする。実質的に、図８に示された男性用下着７００は、一般的なロングズロース７１０に第１開口部１３０がさらに形成されたものであると考えられる。
【００８０】
つまり、一般的なロングズロース７１０が用意され、第１開口部１３０をロングズロース７１０中で陰嚢と対応する領域に形成してもよい。ここで、ロングズロース７１０には自体的に股の周り全体を包み込む領域を備えているが、このような股の周り全体を包み込む領域が第２繊維部材１２０の役割を果たす。このとき、第２連結部材であるひもはなくてもよい。つまり、第２連結部材がなくなる代わりに、第２連結部材と連結した第１開口部１３０の周辺はロングズロース７１０の背面に存在するお尻版と連結される。したがって、このようなお尻版をひも形態の第２連結部材代わりにして、Ｈ字形態の構造を可能にする。
【００８１】
このように本実施形態に係る男性用下着７００をロングズロース７１０に適用することによって、股を引き締めてお尻を弾力のあるように見えるようにすると同時に、陰茎の表面が陰嚢から完全に離間するように陰茎を離隔し、陰嚢を股の内側肉と直接接触しないように離間させ、陰嚢を外部からの空気中に突出および露出させてつり下がっているようにすることで、陰嚢の表面に通気性が極大化されて陰嚢と陰嚢内の睾丸をより効果的に冷やすことができる。
【００８２】
図９は、本発明のまた他の実施形態に係る男性用下着を示した正面図である。
【００８３】
図９に示されているように、本実施形態に係る男性用下着８００は股だけでなく、膝および足首まで隠してくれる一般的なズボン、寝巻、またはジャージズボン８１０の内部に形成されてもよい。
【００８４】
このように本実施形態に係る男性用下着８００を一般的なズボン、寝巻、またはジャージズボン８１０等に適用することによって、既存の道徳的観念から逸脱しないながらも、本発明の作用効果をそのまま実現するようになる。
【００８５】
図１０は、本発明のまた他の実施形態に係る男性用下着を示した正面図である。
【００８６】
図１０に示されているように、本実施形態に係る男性用下着９００はスカート９１０の内部に形成されてもよい。例えば、スコットランドの男性が着るキルトのようなスカート９１０に本実施形態に係る男性用下着９００が適用される。さらに、インドネシア、マレーシア、インド、スリランカなどの国で男性が着るサロンというスカート９１０にも本実施形態に係る男性用下着９００を適用してもよい。
【００８７】
このように本実施形態に係る男性用下着９００を一般的な男性用スカート９１０に適用することによって、既存の伝統を守りながらも、本発明の作用効果をそのまま実現するようになる。
【００８８】
図１１ａ乃至図１１ｃは、本実施形態に係る男性用下着において力が作用する状態を説明するための図である。
【００８９】
人が立って、座って、横になって、うずくまって、伸ばして、歩いて、走るなどの身体動きは数え切れないほど多くの動作の一つであり、このような数多くの動作と共に随時に縮んだり再び膨張する海綿体組織の陰茎を包み込んで上方に持ち上げて引き締める第１繊維部材１１０（これを陰茎風呂敷と定義する）は陰茎を固定させるために陰茎を苦痛なほど硬く引き締めないながらも、必ず必要なところを効果的に引き締めることができる構造を必要とする。
【００９０】
したがって、本実施形態では第１繊維部材１１０を固定させるほぼＨ字構造を採用し、これについて説明する。
【００９１】
前述のように、第１繊維部材１１０が陰茎固定装置の役割を果たすために、まず、第１繊維部材１１０は内部に陰茎を陰嚢の上部方向に持ち上げて包み込みながらも、その下部方向には陰嚢が自動的に自然に露出して何の支えもなしにつり下がっているようにしなければならない。次に、第１繊維部材１１０は、陰茎が最大に膨張して硬くなるときや完全に弛緩し縮んで何の力もなしにぐにゃぐにゃしているときに陰茎が第１繊維部材１１０の下部方向に抜け出さないようにする構造を同時に持たなければならない。
【００９２】
このため、まず第１繊維部材１１０の内部で陰茎が左側や右側に動きながら第１繊維部材１１０のいずれか一方側の外部に抜け出さないように第１繊維部材１１０の両側端を上部と下部方向に確実に引き締めて身体に密着させるようにする構造が必要である。さらに、陰茎が完全に弛緩し縮んで何の力もなしにぐにゃぐにゃしているときも陰茎が容易に第１繊維部材１１０の下方に抜け出さないようにする構造が必要である。
【００９３】
このため、本実施形態ではほぼＨ字形態の構造を提案し、これは腰を包む腰バンドの前面と背面またはいずれも前面に二つのひもをほぼ垂直方向に固定させ、また二つのひもを横切る一つのひもをほぼ水平方向に縛る構造を含む。
【００９４】
つまり、本実施形態では、二つの第２連結部材１６０、第１開口部１３０の両側に位置する二つの連結部材１２１、第１繊維部材１１０の対向する両側端および第１繊維部材１１０の上部両側端に形成された二つの連結部材１１３が、前述したＨ字構造のうち両側のひもとしての役割を果たす。また、本実施形態では第１開口部１３０の上部領域（または第１繊維部材１１０の下部領域）が前述したＨ字構造のうち両側の二つのひもを縛る中央の一つのひもの役割を果たす。このようなＨ字構造によって、第１繊維部材１１０の下部領域が陰茎を陰茎と陰嚢が接触する領域の周りに沿って包み込みながら人体に密着させるように作用する一定の力が存在するようになる。
【００９５】
言い換えれば、第１開口部１３０と隣接した第１繊維部材１１０の下部領域（第１開口部１３０の上部領域）はＨ字の中央水平部材（−）を意味し、二つの第２連結部材１６０はＨ字の中央水平部材の両側下部の二つの垂直部材（||）を意味し、第１繊維部材１１０の両側部領域はＨ字の中央水平部材の両側上部の二つの垂直部材（||）を意味する。
【００９６】
言い換えれば、第２連結部材１６０、第１開口部１３０の上部領域を形成する第１繊維部材１１０の下部部分および第１繊維部材１１０の両側端がＨ字形態の構造に形成される。ここで、Ｈ字形態の構造に形成された部位は一つにまとめたりまたは部分ごと離して他の部材に分割し再び連結してＨ字形態の構造に形成してもよい。つまり、Ｈ字形態の構造は一体型に形成したり、または多数の部材を連結して形成されてもよい。
【００９７】
このようにして、第２連結部材１６０と第１繊維部材１１０は第１開口部１３０の上部領域に沿って第１繊維部材１１０が陰茎を陰茎と陰嚢とが接触する線の周りに沿って包み込みながら人体に密着させるようにする力を付与する。
【００９８】
通常、第１繊維部材１１０の内側で陰茎が上方に持ち上げて引き締めているとき、陰茎の先端が前方に倒れないようにするには大きい力が必要でない。しかし、陰茎が第１繊維部材１１０の下方に抜け出さないようにするためには、例えば、陰茎が最大に膨張したときに陰茎を圧迫しないように引き締めながら、かつ陰茎が完全に弛緩し縮んで何の力もなしにぐにゃぐにゃしているときや陰茎が第１繊維部材１１０の下方に抜け出さないようにするためには、前述したＨ字構造が必要である。
【００９９】
つまり、第１繊維部材１１０の下部領域（第１開口部１３０の上部領域）は陰嚢と陰茎が連結される陰茎の下方の周り領域を包み込まなければならないし、この部位の位置が上部または下部、そして右側または左側に引かれてしまうことなく、この部位が自分自身の位置を守りながら陰茎を引き締めるように第１繊維部材１１０の上、下、左、右領域が身体に密着されるように引っ張ってくれる力がなければならないし、これは前述のようにＨ字構造によって可能である。
【０１００】
前述したように、このようなＨ字構造は腰バンドの前面中央から対称に広がって延長された二つの領域と、背面中央から対称に広がって延長された二つの領域を含み、また、このような二つの領域をほぼ中央に水平方向に連結する一つの領域を含む。このような腰バンドおよびＨ字構造は、ボディーの前面と背面、そして上部と下部を引き締めて均衡をとりながら特に、第１繊維部材１１０の下部領域が陰茎を引き締めて身体側に密着するようにし、また陰茎の下端と陰嚢が接触する領域に固定して取り付けられることによって、陰茎が第１繊維部材１１０から抜け出すことを防止するようになる。
【０１０１】
ここで、前面の二つの領域は第１繊維部材１１０のほぼ左、右側の領域であり、背面の二つの領域は二つの第２連結部材１６０であって、これはほとんど腰の両側辺に近いように広げる形態をし、この第２連結部材１６０は前面に固定することもできる。もちろん、背面側に逆三角部材を形成する場合にも前面の第１繊維部材１１０を固定させる力を受け取る構造は変わらない。
【０１０２】
このように前面と背面でボディーを引き締める構造は、ボディーの外側からボディーの内側に引き締める力と、上部と下部に引き締める力がある。このように、腰バンドに固定されボディーを包み込みながら前面と背面、または前面を一つに連結したＨ字構造でなければ、前述のようにボディー側に引き締める力と、上部、下部および前面、背面を引き締める安定した力を得られない。
【０１０３】
また、ボディーを包み込んでボディーに取り付けられてボディーの抵抗力と共に互いに安定して平衡をなしているため、第１繊維部材１１０の下部領域に対する位置が安定して保持され、かつ陰茎を引き締めてボディー側に密着させながら（第１繊維部材１１０の下部領域をボディー側に引き締める）、また陰茎と陰嚢が接触する領域に固定させることができる。
【０１０４】
言い換えれば、第１開口部１３０の上部領域を形成する第１繊維部材１１０の下部部分がこの陰茎の下端部である陰茎と陰嚢の境界線領域に沿って位置して陰茎が第１開口部１３０の中から飛び出さないように防ぎ、第１開口部１３０の上部領域の上部分を形成する第１繊維部材１１０の上部部分が陰茎を前に倒れないように引き締めて陰茎を第１繊維部材１１０内に安定して保持されるようにする力を付与する。
【０１０５】
図１２ａおよび図１２ｂは、本発明のまた他の実施形態に係る男性用下着１０００の着用状態を示した正面図および男性用下着を示した背面図である。
【０１０６】
本実施形態に係る男性用下着１０００は、図１ａおよび図１ｂに示された男性用下着１００と類似している。したがって、その差異点を中心に説明する。
【０１０７】
図１２ａおよび図１２ｂに示されているように、本発明のまた他の実施形態に係る男性用下着１０００は、第１開口部１０３０によって第２繊維部材１２０が２つの部材に分割されたことを主要な特徴とする。もちろん、このとき、第２連結部材１６０の下端は第２繊維部材１２０と連結されたまた他の連結部材１２１の下端に連結することによって、第２繊維部材１２０は第１連結部材１５０と第２連結部材１６０の下端にほぼつり下がっている形態をする。したがって、第２繊維部材１２０は依然として陰嚢と股の内側肉の間に位置することによって、陰嚢が股の内側肉に直接接触しないようにする。このようにして、本実施形態に係る男性用下着１０００も陰茎の表面が陰嚢から完全に離間するように陰茎を離隔し、陰嚢を股の内側肉と直接接触しないように離間させ、陰嚢を空気中に突出および露出させてつり下がっているようにすることで、陰嚢の表面に通気性が極大化されて陰嚢と陰嚢内の睾丸をより効果的に冷やすことができる。
【０１０８】
図１３ａおよび図１３ｂは、本発明のまた他の実施形態に係る男性用下着１１００を示した正面図および背面図である。
【０１０９】
図１３ａおよび図１３ｂに示されているように、本実施形態に係る男性用下着１１００は板状の第１繊維部材１１１０、第１繊維部材１１１０の両側端にそれぞれ形成された板状の第２繊維部材１１２０、第１、第２繊維部材１１１０、１１２０の外側に形成された空間部１１３０、第１繊維部材１１１０の下端に形成された第１伸縮性帯１１４０および第１繊維部材１１１０の両側端にそれぞれ形成された第２伸縮性帯１１５０を含む。
【０１１０】
また、本実施形態に係る男性用下着１１００は、伸縮性腰バンド１１６０をさらに含むことができる。さらに、本実施形態に係る男性用下着１１００は、第１繊維部材１１１０、第２繊維部材１１２０または第１繊維部材１１１０と第２繊維部材１１２０の境界領域を腰バンド１１６０に連結する第３伸縮性帯１１７０をさらに含むことができる。
【０１１１】
これをより具体的に説明する。
第１繊維部材１１１０は、陰茎を陰嚢の反対方向（つまり、陰嚢からヘソに向かう方向）に立てて陰茎を陰嚢から離間させる。言い換えれば、第１繊維部材１１１０は陰茎の下方を支えて、陰茎を陰嚢の反対方向にたてることによって、陰茎の上端が陰嚢から完全に離間させる。このようにして、陰茎と陰嚢が離間することによって、陰茎が陰嚢に熱や圧迫を加えないようになる。このような第１繊維部材１１１０は陰茎がほとんど覆われる程度の面積で形成されるが、本発明はこれに限定されるものではない。図においては、第１繊維部材１１１０の平面形態がほぼ四角形態に示されているが、本発明はこのような形態に限定されるものではなく、円形、楕円形、台形、三角形、五角形、六角形などの多様な平面的な形態が可能である。
【０１１２】
第２繊維部材１１２０は、第１繊維部材１１１０を中心にその両側端から外側方向（つまり、側部方向および下部方向）に伸びて、陰嚢と股の内側肉を離間させる。もちろん、このため、第２繊維部材１１２０は陰嚢と股の内側肉の間に介在する。さらに、このような第２繊維部材１１２０は両側の股の内側肉間にも介在することによって、陰嚢と股の内側肉の離間だけでなく、両側の股の内側肉間の離間も可能にする。
【０１１３】
このようにして、第２繊維部材１１２０によって陰嚢が股の内側肉と離間されることによって、陰嚢と股の内側肉との間に熱、圧迫および湿気が集中しなく、そのために嚢湿および／またはかゆみ現象が改善される。
【０１１４】
また、腰バンド１１６０から始まる第１繊維部材１１１０の長さに比べて、第２繊維部材１１２０の長さが相対的にさらに長く形成される。言い換えれば、第２繊維部材１１２０の面積が第１繊維部材１１１０の面積より大きく形成されることによって、陰嚢と股の内側肉の間の離間面積および両側の股の内側肉間の離間面積を十分に確保できるようになる。
【０１１５】
さらに、図においては第２繊維部材１１２０の平面形態がほぼ四角形態に示されているが、本発明はこのような形態に限定されるものではなく、円形、楕円形、台形、三角形、五角形、六角形などの多様な平面的な形態が可能である。
【０１１６】
一例として、第２繊維部材１１２０はほぼ四角板形状に形成されることによって、股の内側肉と前方肉を覆うだけで、股の外側両側部肉と後方肉を覆わないようになる。つまり、股の外側両側部肉と後方肉はほとんど男性用下着１１００の外側に露出することによって、この部分に対する通気性が向上する。
【０１１７】
また、このような第１、第２繊維部材１１１０、１１２０は綿、麻、毛、絹のような天然繊維、レーヨン、アセテートのような再生繊維、ナイロン、アクリル、ポリエステル、ポリウレタンのような合成繊維およびその等価物の中から選択されるいずれか一つまたはその混合物からなるが、本発明はこのような種類に限定されるものではない。一例として、このような第１、第２繊維部材１１１０、１１２０はポリウレタンを主成分にして伸縮性に優れたスパンデックス繊維であることもある。
【０１１８】
また、他の例として、第１、第２繊維部材１１１０、１１２０はポリプロピレン（ＰＰ）と、ポリエチレン（ＰＥ）またはナイロンで製織された複合繊維であることもある。このとき、第１繊維部材は陰茎と接触する面がポリプロピレン（ＰＰ）であり、その反対面はポリエチレン（ＰＥ）またはナイロンで製織されることができる。また、第２繊維部材は陰嚢と接触する面がポリプロピレン（ＰＰ）であり、その反対面はポリエチレン（ＰＥ）またはナイロンで製織されることができる。このような特徴は、前述したすべての実施形態および後述する全ての実施形態に適用可能である。
【０１１９】
一般に、ポリプロピレン（ＰＰ）は速乾性（早く乾く性質）と抗菌特性を持っているので、陰茎および／または陰嚢と接触する面がポリプロピレン（ＰＰ）の場合、陰茎および／または陰嚢から発生する湿気を反対面であるポリエチレン（ＰＥ）側に速かに排出する。したがって、陰茎および／または陰嚢は湿気が少ない快適な環境に置かれるようになる。
【０１２０】
空間部１１３０は一対の第２繊維部材１１２０の間であって、第１繊維部材１１１０の下部に形成されて、陰嚢が空気中に完全に突出および露出するようにする。このような空間部１１３０は陰嚢の大きさと同じであるか、あるいは陰嚢の大きさより大きいこともある。このようにして、空間部１１３０を通じて陰嚢が空気中に完全に突出、露出およびつり下がっているようになることによって、陰嚢の表面に対する通気性が極大化されて陰嚢と陰嚢内の睾丸をより効率的に冷やすことができる。また、空間部１１３０を通じて突出、露出およびつり下がっている陰嚢はその下方の一部が時により第２繊維部材１１２０に接触するだけで、前述のように股の内側肉と直接接触しなくなることによって、股の内側肉から発生する熱が陰嚢の表面に伝えられたり、または陰嚢の表面から発生する熱が外部に発散されることを妨害しなく、陰嚢と股の内側肉の間から発生できる嚢湿、かゆみおよび／または悪臭現象も防止される。
【０１２１】
言い換えれば、陰嚢が第２繊維部材１１２０の間であって、第１繊維部材１１１０の下部に形成された空間部１１３０を通じて外部空気に完全に突出、露出およびつり下がっている形態をすると同時に、第２繊維部材１１２０が陰嚢と股の内側肉の間に介在する。したがって、陰嚢と股の内側肉との間に第２繊維部材１１２０が介在することによって、第２繊維部材１１２０が陰嚢と股の内側肉の間から発生できる湿気を吸収して嚢湿現象を防止するようになる。さらに、上記のような構成によって両側の股の内側肉間にも第２繊維部材１１２０を自然に介在することによって、両側の股の内側肉間の摩擦による不便さも改善するようになる。第１伸縮性帯１１４０は空間部１１３０と接触する第１繊維部材１１１０の下端に形成されて、陰茎が陰嚢側に傾かないようにする。このような第１伸縮性帯１１４０はほぼ伸張した状態で第１繊維部材１１１０に裁縫される。さらに、このような第１伸縮性帯１１４０は、第１繊維部材１１１０の下端領域によって覆われることもある。
【０１２２】
このようにして、着用者が男性用下着１１００を着用する前には、第１伸縮性帯１１４０が伸縮（縮小）された状態を有するが、着用者が男性用下着１１００を着用した後には、第１伸縮性帯１１４０が弾力的に伸張（拡張）された状態を持つことによって（つまり、第１伸縮性帯が上部方向に立てられた陰茎の下部を身体側に加圧することによって）、第１伸縮性帯１１４０によって上部方向に立てられた陰茎が第１繊維部材１１１０の下側空間部１１３０から抜け出さないように引き締めて、第１繊維部材１１１０は重力によって陰茎が前に倒れることを防ぎ、陰茎は下部に傾かない。このような第１伸縮性帯１１４０は両側端を有し、両側端は第２繊維部材１１２０までにそれぞれ延長される。さらに、このような第１伸縮性帯１１４０の両側端は一対の第２伸縮性帯１１５０にそれぞれ連結することもある。
【０１２３】
また、第１伸縮性帯１１４０は身体と接触する面の反対面である第１繊維部材１１１０の外側面に形成されることができる。また、第１繊維部材１１１０の端部は縁曲げ（ｈｅｍｍｉｎｇ）処理され、その縁曲げ（ｈｅｍｍｉｎｇ）処理された第１繊維部材１１１０の内部に第１伸縮性帯１１４０が位置することもある。したがって、第１伸縮性帯１１４０と陰茎との間に柔らかい材質の第１繊維部材１１１０を介在することによって、第１伸縮性帯１１４０または第１伸縮性帯１１４０による加圧力によって陰茎に不便な感じが伝えられない。
【０１２４】
第２伸縮性帯１１５０は第１繊維部材１１１０の両側端にそれぞれ形成されて、陰茎が左側方向または右側方向に傾かないようにする。より具体的に説明すれば、第２伸縮性帯１１５０は第１繊維部材１１１０の両側端、または第１繊維部材１１１０の両側端と隣接した第２繊維部材１１２０、または第１、第２繊維部材１１１０、１１２０の境界領域にそれぞれ並んで形成されてもよい。ここで、一対の第２伸縮性帯１１５０は相互平行に形成されたり、または一定の角度をなして形成されてもよい。一例として、一対の第２伸縮性帯１１５０は下部から上部に行くほど相互間順次に遠くなる形状に形成されたり、または下部から上部に行くほど相互間順次に近くなる形状に形成されてもよい。
【０１２５】
さらに、このような第２伸縮性帯１１５０はほぼ伸張した状態で第１繊維部材１１１０、第２繊維部材１１２０または第１、第２繊維部材１１１０、１１２０の境界領域に裁縫される。また、このような第２伸縮性帯１１５０は第１繊維部材１１１０の両側端領域によって覆われることもある。もちろん、第２伸縮性帯１１５０は対応する位置の第２繊維部材１１２０、または第１、第２繊維部材１１１０、１１２０の境界領域によって覆われることもある。
【０１２６】
このようにして、着用者が男性用下着１１００を着用する前には第２伸縮性帯１１５０が伸縮（縮小）された状態を有するが、着用者が男性用下着１１００を着用した後には第２伸縮性帯１１５０が弾力的に伸張（拡張）された状態を持つことによって（つまり、第２伸縮性帯が身体側に加圧された状態を保持して陰茎亀頭が第１繊維部材１１１０の両側端から離間しないように引き締める垣根の役割を果たすことによって）、第２伸縮性帯１１５０によって上部方向に立てられた陰茎が重力によって左側方向または右側方向に一定の角度以上に傾かない。このような第２伸縮性帯１１５０は、それぞれの下端が前述した第１伸縮性帯１１４０の両端に連結してもよい。さらに、第２伸縮性帯１１５０はそれぞれの上端が腰バンド１１６０に連結してもよい。また、第２伸縮性帯１１５０は身体と接触する面の反対面である第１繊維部材１１１０の外側面に形成してもよい。したがって、第２伸縮性帯１１５０と身体との間に柔らかい材質の第１繊維部材１１１０を介在することによって、第２伸縮性帯１１５０または第２伸縮性帯１１５０による加圧力によって身体に不便な感じが伝えられない。
【０１２７】
腰バンド１１６０は着用者の腰を包むようにほぼ円形の伸縮性帯形状に形成され、バンド１１６０には第１繊維部材１１１０および第２繊維部材１１２０が直接、または間接的に連結される。さらに、前述のように、第２伸縮性帯１１５０の上端をバンド１１６０に連結してもよい。バンド１１６０は多数のゴムひもと、これを包む伸縮性繊維からなることによって、着用者の腰を弾力的に包むことができる。さらに、このようなバンド１１６０は第１繊維部材１１１０および第２繊維部材１１２０が身体から分離しなく、一定の形態を保持するようにする役割を果たす。
【０１２８】
前述のように、腰バンド１１６０には第１繊維部材１１１０および第２繊維部材１１２０が直接連結される。例えば、第１、第２繊維部材１１１０、１１２０の上端全体をバンド１１６０に直接連結することによって、陰茎を完全に風呂敷形態に包み込んで陰茎を外部視線から完全に遮断することができる。
【０１２９】
また、第１繊維部材１１１０の上端と腰バンド１１６０との間には開口部をさらに形成することによって、陰茎の膨張時にこれを効果的に受けて、小便時にバンド１１６０までおりなくても小便をすることができるようになる。もちろん、このような開口部の形成のために、第１繊維部材１１１０とバンド１１６０との間には第１繊維部材１１１０とバンド１１６０を連結する連結部材をさらに形成することができる。このような連結部材は、第１繊維部材１１１０の両側上端から伸びてバンド１１６０に連結したものであるか、あるいは別途のひもであることもある。また、第２繊維部材１１２０の上端も別途の連結部材を通してバンド１１６０の前面または両側部に連結してもよい。
【０１３０】
第３伸縮性帯１１７０は、第１繊維部材１１１０の両側下端をそれぞれ腰バンド１１６０の両側または／および後方に連結する。他の例として、第３伸縮性帯１１７０は第１繊維部材１１１０と隣接した第２繊維部材１１２０または第１繊維部材１１１０と第２繊維部材１１２０の境界領域をバンド１１６０に連結することができる。ここで、股は第２繊維部材１１２０と第３伸縮性帯１１７０がなす空間で結合する。
【０１３１】
また、第３伸縮性帯１１７０の一部領域が第２繊維部材１１２０で覆われることもある。つまり、第２繊維部材１１２０のうち空間部１１３０と接触する周り領域は第３伸縮性帯１１７０の一部領域を覆われる。言い換えれば、第２繊維部材１１２０の端部が縁曲げ（ｈｅｍｍｉｎｇ）処理され、その縁曲げ（ｈｅｍｍｉｎｇ）処理された第２繊維部材１１２０の内部に第３伸縮性帯１１７０の一部領域が位置する。したがって、第３伸縮性帯１１７０によって第２繊維部材１１２０のうちほぼ空間部１１３０と隣接した領域が自然に陰嚢と股の内側肉の間に位置する。もちろん、このとき、第２繊維部材１１２０のうちほぼ空間部１１３０と隣接した領域が自然に両側の股の内側肉間にも位置する。さらに、第２繊維部材１１２０のうち空間部１１３０と接触する下端領域と第３伸縮性帯１１７０の間には接合部１１２２が形成されることができる。つまり、第２繊維部材１１２０のうち空間部１１３０と接触する下端領域が第３伸縮性帯１１７０に裁縫されて接合部１１２２が形成される。したがって、第２繊維部材１１２０と第３伸縮性帯１１７０の所定の部分が結合することによって、第３伸縮性帯１１７０の一部を包む第２繊維部材１１２０の一部領域が、第３伸縮性帯１１７０に沿って任意の方向にランダムに動かないようになる。
【０１３２】
また、前述した第２伸縮性帯１１５０は第３伸縮性帯１１７０と連結される。したがって、第１伸縮性帯１１４０、一対の第２伸縮性帯１１５０および一対の第３伸縮性帯１１７０の連結形状はほぼＨ字形状であることもある。つまり、相互間連結された第２、第３伸縮性帯１１５０、１７０がバンド１１６０の前方と腰バンド１１６０の後方をほぼＵ字形に連結し、また第１伸縮性帯１１４０を一対の第２伸縮性帯１１５０の間または一対の第３伸縮性帯１１７０の間に備えることによって、第１、第２、第３伸縮性帯１１４０、１１５０、１７０はほぼＨ字状に形成されることができる。
【０１３３】
ここで、第２伸縮性帯１１５０の伸縮性は、第３伸縮性帯１１７０の伸縮性より高く設計することが望ましい。つまり、第２伸縮性帯１１５０は着用者が男性用下着１１００を着用した場合、身体に弾力的に密着されるように伸縮性が相対的に高く、第３伸縮性帯１１７０は第１繊維部材１１１０および第２伸縮性帯１１５０を堅固にバンド１１６０に連結するように伸縮性が相対的に小さくなければならない。しかし、逆に第３伸縮性帯１１７０の厚さおよび強度は第２伸縮性帯１１５０の厚さおよび強度より高く設計することが望ましい。つまり、第３伸縮性帯１１７０は着用者が男性用下着１１００を着用した場合、第１繊維部材１１１０および第２伸縮性帯１１５０を堅固にバンドに１１６０に連結しなければならないためである。
【０１３４】
しかし、第２伸縮性帯１１５０の伸縮性が第３伸縮性帯１１７０の伸縮性と同じであることもある。つまり、第２伸縮性帯１１５０および第３伸縮性帯１１７０が同じ材質、同じ厚さおよび同じ強度で形成されることができる。実質的に、第２伸縮性帯１１５０の伸縮性が第３伸縮性帯１１７０の伸縮性と同じであるとしても、着用者が男性用下着１１００の着用時において大きな不便さはない。
【０１３５】
また、第３伸縮性帯１１７０は一側に形成された長さ調節部１１７１をさらに含むことができる。このような長さ調節部１１７１は内部固定台１１７２を有するダブルジリング（ｄｏｕｂｌｅ  Ｄ−ｒｉｎｇ）１１７３およびＯリング（Ｏ−ｒｉｎｇ）１１７４を含む。ここで、第３伸縮性帯１１７０の端部は、ダブルジリング１１７３を、内部固定台１１７２を中心にほぼＣ字形態に貫通して通過し、次いでＯリング１１７４をＵ字形状に貫通して通過し、最後にダブルジリング１１７３の内部固定台１１７２に結合する。さらに、長さ調節部１１７１はＯリング１１７４をバンド１１６０に連結する補助帯１１７をさらに含むことができる。
【０１３６】
このようにして、男性用下着１１００を着用した着用者は、前述した長さ調節部１１７１を利用して第３伸縮性帯１１７０の長さを適切に調節することができる。つまり、着用者は自身の身体サイズに最適化した長さで第３伸縮性帯１１７０の長さを適切に調節することによって、最も安らかな状態で自身の陰茎全体を陰嚢の反対方向に立てて陰茎全体が陰嚢から離間するようにすることができる。
【０１３７】
また、このような第１、第２、第３伸縮性帯１１４０、１１５０、１７０も綿、麻、毛、絹のような天然繊維、レーヨン、アセテートのような再生繊維、ナイロン、アクリル、ポリエステル、ポリウレタンのような合成繊維およびその等価物の中から選択されるいずれか一つまたはその混合物からなるが、本発明はこのような材質に限定されるものではない。
【０１３８】
このようにして、本実施形態に係る男性用下着１１００は、陰茎の表面が陰嚢から完全に離間するように陰茎を離隔し、陰嚢を股の内側肉と直接接触しないように離間させ、陰嚢を空気中に突出および露出させてつり下がっているようにすることで、陰嚢の表面に対する通気性が極大化されて陰嚢と陰嚢内の睾丸をより効果的に冷やすことができる。また、このように陰嚢が空気中に露出すれば、陰嚢の表面に通気性が極大化され、また陰嚢がより容易に息をしながら熱と共に湿気も排出することによって、嚢湿、かゆみおよび／または悪臭現象が改善される。
【０１３９】
また、本実施形態に係る男性用下着１１００は、陰茎全体を陰嚢の反対方向に立てて陰茎全体が陰嚢から離間させる第１繊維部材１１１０において、第１繊維部材１１１０の下端に第１伸縮性帯１１４０がさらに形成され、また第１繊維部材１１１０の両側端に第２伸縮性帯１１５０がさらに形成されることによって、陰茎が下部方向である陰嚢側に傾かないようにするだけでなく、陰茎が左側方向または右側方向に一定の角度以上に傾かないようにする。つまり、本実施形態に係る男性用下着１１００は着用者が多様な形態に動くとしても、陰茎全体が常に陰嚢の反対方向に立てて陰茎全体を陰嚢から離間させる。
【０１４０】
さらに、本実施形態に係る男性用下着１１００は、第１繊維部材１１１０とバンド１１６０の間に第３伸縮性帯１１７０が形成されていたものの、このような第３伸縮性帯１１７０が長さ調節部１１７１を有することによって、着用者が自身の身体サイズに適するように第３伸縮性帯１１７０の長さを調節することができる。つまり、着用者は自身の身体サイズに最適化した長さで第３伸縮性帯１１７０の長さを適切に調節することによって、最も安らかな状態で自身の陰茎全体を陰嚢の反対方向に立てて陰茎全体を陰嚢から離間させることになる。
【０１４１】
図１４ａ、図１４ｂおよび図１４ｃは本発明の一実施形態に係る男性用下着１１００の着用状態を示した正面図、背面図および側面図である。
【０１４２】
図１４ａ、図１４ｂおよび図１４ｃに示されているように、第１繊維部材１１１０は陰茎全体を陰嚢の反対方向に立てて陰茎全体を陰嚢から離間させ、第２繊維部材１１２０は第１繊維部材１１１０の両側端から下部方向に長く伸びて陰嚢と股の内側肉を離間させる。さらに、第２繊維部材１１２０の間であって、第１繊維部材１１１０の下部に形成された空間部１１３０を通じては陰嚢が外部からの空気中に完全に突出、露出およびつり下がっているようにすることによって、陰嚢の表面に対する通気性が極大化されて陰嚢と陰嚢内の睾丸をより効果的に冷やすことができる。もちろん、そのために、陰嚢の表面に通気性が極大化され、また陰嚢がより容易に息をしながら熱と共に湿気も排出して嚢湿、かゆみおよび／または悪臭現象が予防される。
【０１４３】
また、第１繊維部材１１１０の下端に水平方向に第１伸縮性帯１１４０が形成され、このような第１伸縮性帯１１４０がほぼ陰茎を包み込みながら身体側に加圧することによって、陰茎が重力によって陰嚢側に傾かないようになる。さらに、第１繊維部材１１１０の両側端にほぼ垂直方向に第２伸縮性帯１１５０が形成され、このような第２伸縮性帯１１５０がほぼ陰茎を包み込みながら身体に加圧されることによって、陰茎が左側方向や右側方向に一定の角度以上に傾かないようになる。もちろん、このような第１伸縮性帯１１４０および第２伸縮性帯１１５０の加圧力は第３伸縮性帯１１７０が引く力によって形成されたのである。
【０１４４】
さらに、第１繊維部材１１１０の両側下端、または第１、第２繊維部材１１１０、１１２０の境界領域は第３伸縮性帯１１７０を通じてバンド１１６０の両側や後方に結合することによって、第１、第２繊維部材１１１０、１１２０はバンド１１６０から安定的に保持され、また一定の形態を保持するようになる。
【０１４５】
このようにして、本発明の一実施形態は陰茎の表面が陰嚢から完全に離間するように陰茎を離隔し、陰嚢を股の内側肉と直接接触しないように離間させ、陰嚢を外部からの空気中に突出および露出させてつり下がっているようにすることで、陰嚢の表面に通気性が極大化されて陰嚢と陰嚢内の睾丸をより効果的に冷やす男性用下着１１００を提供することになる。
【０１４６】
また、本発明の一実施形態は第１、第２、第３伸縮性帯１１４０、１１５０、１１７０によって形成されたＨ字形状の構造物によって、陰茎が自重によって陰嚢側に傾かないで、また陰茎が左側方向または右側方向に一定の角度以上に傾かないようになる。
【０１４７】
図１５ａおよび図１５ｂは、本発明のまた他の実施形態に係る男性用下着１２００を示した正面図および背面図である。ここで、本発明のまた他の実施形態に係る男性用下着１２００は前述した男性用下着１１００とほとんど同じであるので、差異点を中心に説明する。
【０１４８】
図１５ａおよび図１５ｂに示されているように、本発明のまた他の実施形態に係る男性用下着１２００は、後方に位置した第３伸縮性帯１１７０の間にお尻全体を覆われるように一定の面積を有して形成された逆三角繊維部材１２７０をさらに含むことができる。もちろん、このような逆三角繊維部材１２７０の上端全体はバンド１１６０に結合され、下端は第１繊維部材１１１０から離隔した下部領域に結合される。つまり、逆三角繊維部材１２７０の下端は空間部１１３０の一つの境界をなす。つまり、第１繊維部材１１１０、第２繊維部材１１２０および逆三角繊維部材１２７０によってほぼ四角形態の空間部１１３０が形成される。
【０１４９】
また、このような逆三角繊維部材１２７０も綿、麻、毛、絹のような天然繊維、レーヨン、アセテートのような再生繊維、ナイロン、アクリル、ポリエステル、ポリウレタンのような合成繊維およびその等価物の中から選択されるいずれか一つまたはその混合物からなるが、本発明はこのような材質に限定されるものではない。
【０１５０】
したがって、本発明の他の実施形態に係る男性用下着１２００は、陰茎の表面が陰嚢から完全に離間するように陰茎を離隔し、陰嚢を股の内側肉と直接接触しないように離間させ、陰嚢を外部からの空気中に完全に突出、露出およびつり下がっているようにすると同時に、逆三角繊維部材１２７０がお尻全体を覆うようになる。また、何よりも使用者が男性用下着１２００を着用する時に、足を第３伸縮性帯１１７０の間の広がっている空間に間違って挿入することが生じないようにすることにより、誰でも容易に男性用下着１２００を着用することができる。
【０１５１】
図１６ａ、図１６ｂおよび図１６ｃは本発明に係る男性用下着がボクサーパンツに適用された例を示した正面図であり、図１６ｄは図１６ｃの１６ｄ−１６ｄ線に沿って切り取った断面図である。
【０１５２】
図１６ａに示されているように、前述した本発明の実施形態に係る男性用下着１３００はボクサーパンツ１３１０の内部に設けられる。つまり、前述した第１繊維部材１１１０、第２繊維部材１１２０、空間部１１３０、第１、第２、第３伸縮性帯１１４０、１１５０、１１７０、およびバンド１１６０等が通常のボクサーパンツ１３１０の内部に設けられる。このとき、腰バンド１１６０は実質的にボクサーパンツ１３１０をなす腰を包むベルトであることもあるが、本発明はこれに限定されるものではない。
【０１５３】
このように本実施形態に係る男性用下着１３００がボクサーパンツ１３１０の内部に設けられることによって、既存の道徳的観念（陰嚢がボクサーパンツの外側から見えないこと）から逸脱しないながらも、本発明の作用効果つまり、陰茎の表面が陰嚢から完全に離間するように陰茎を離隔し、陰嚢を股の内側肉と直接接触しないように離間させ、陰嚢を外部からの空気中に突出および露出させてつり下がっているようにすることで、陰嚢の表面に対する通気性が極大化されて陰嚢と陰嚢内の睾丸をより効果的に冷やすことができる。
【０１５４】
さらに、本実施形態に係る男性用下着１３００において、ボクサーパンツ１３１０の下端部１３１１（股が抜け出す領域）はほぼ三角パンツと類似にほぼ斜線またはほぼ対角線方向に裁断することによって、ボクサーパンツ１３１０の内部と外部との間に通気性が極大化される。つまり、陰茎や陰嚢がボクサーパンツ１３１０の外部空気にもっと近く位置することによって、陰茎や陰嚢に対する通気性がさらに向上する。もちろん、ボクサーパンツ１３１０の下端部１３１２は斜線または対角線方向でない水平方向に裁断されて、ボクサーパンツ１３１０の外形が既存のボクサーパンツと類似していることもある。
【０１５５】
本実施形態に係る男性用下着１３００は前述したボクサーパンツ１３１０以外に三角パンツ、ズロースおよび／またはロングズロースの内部にも設けられるが、本発明はこれに限定されるものではない。さらに、本実施形態に係る男性用下着は半ズボン、ズボン、寝巻、ジャージズボン、下部下着および／またはスカートの内部にも設けられる。
【０１５６】
また、図１６ｂに示されているように、本発明の他の実施形態に係る男性用下着１４００は第２繊維部材１１２０の周り、例えば、外側端、下端および／または外側端と下端のコーナー領域がボクサーパンツ１４１０に接合されることができる。例えば、第２繊維部材１１２０の外側端、下端および／または外側端と下端のコーナー領域とボクサーパンツ１４１０をなす繊維の間に接合部１４１１がさらに形成されることができる。
【０１５７】
このような接合部１４１１は通常の裁縫、溶着、ボンディング方式で形成されてもよい。また、接合部１４１１は不連続的な鎖線形態に形成したり、または連続的な実線形態に形成してもよい。しかし、本発明は、第２繊維部材１１２０とボクサーパンツ１４１０との間の接合方式、接合領域および／または接合形態を限定するものではない。
【０１５８】
このようにして、本実施形態に係る男性用下着１４００、特に第２繊維部材１１２０は、接合部１４１１によってボクサーパンツ１４１０の内部で安定的に固定して正しい位置を保持する。例えば、男性用下着１４００を着用する前に第２繊維部材１１２０がボクサーパンツ１４１０で任意の方向にランダムに動かないようになり、常に正確な位置にあることによって、着用者が容易に男性用下着１４００を着用することができる。さらに、男性用下着１４００を洗濯機に入れて洗濯したとしても、ボクサーパンツ１４１０内部の第２繊維部材１１２０が指定された位置に安定的に位置するようになる。
【０１５９】
さらに、図１６ｃおよび図１６ｄに示されているように、本発明の他の実施形態に係る男性用下着１５００は第２繊維部材１１２０の周り、例えば、外側端、下端および／または外側端と下端のコーナー領域に一体の第３繊維部材１５２０がさらに連結（裁縫）され、このような第３繊維部材１５２０の周りがボクサーパンツ１５１０に接合されることができる。ここで、第３繊維部材１５２０は第２繊維部材１１２０のコーナーおよびその周辺に連結されるので、ほぼ放物線形状に形成されることができる。また、第３繊維部材１５２０は、例えば、軽くて通気性が良いメッシュまたはネット繊維であることもあるが、本発明はこれに限定されるものではない。
【０１６０】
ここで、第２繊維部材１１２０と第３繊維部材１５２０、そして第３繊維部材１５２０とボクサーパンツ１５１０の間に多数の接合部１５２１がさらに形成されることができる。このような接合部１５２１は通常の裁縫、溶着、ボンディング方式で形成することができ、場合により接合部１５２１は第３繊維部材１５２０の上、下側周りに沿って連続的に形成された裁縫線であることもある。
【０１６１】
このようにして、本実施形態に係る男性用下着１５００、特に第２繊維部材１１２０は、接合部１５２１によってボクサーパンツ１５１０の内部で安定的に固定して正しい位置を保持する。さらに、メッシュまたはネット形態の第３繊維部材１５２０によって陰嚢が外部視線から遮断されると同時に、陰嚢に対する通気性が極大化される。
【０１６２】
また、一対の第２繊維部材１１２０にそれぞれ連結された第３繊維部材１５２０はその内側端（つまり、両側の股間に位置する第３繊維部材の領域）が相互連結されることによって、ボクサーパンツ１５１０の斜線または対角線方向に裁断した領域を通して陰嚢が外部に露出しないようにすることもある。もちろん、このような構造によって第１繊維部材１１１０、一対の第２繊維部材１１２０および相互連結された第３繊維部材１５２０によってほぼ四角形態の空間部１１３０が設けられる。また、図１６ｄに示されているように、使用者が本実施形態に係る男性用下着１５００を着用するようになると、第２繊維部材１１２０は股に密着され、ボクサーパンツ１５１０は股から若干離間し、第２繊維部材１１２０とボクサーパンツ１５１０との間に第３繊維部材１５２０がほぼ水平方向に位置するようになる。また、このような第３繊維部材１５２０の幅は前方から後方に行くほどその幅が順次に減少するように形成される。このようにして、第２繊維部材１１２０、第３繊維部材１５２０およびボクサーパンツ１５１０の間に自然にほぼ三角の空気チャンネル１５２２が形成され、そのために陰嚢に対する通気性がさらに向上する。
【０１６３】
図１７は、本発明のまた他の実施形態に係る男性用下着を示した正面図である。
【０１６４】
図１７に示されているように、本実施形態に係る男性用下着１６００は視線遮断膜１６１０をさらに含むことができる。このような視線遮断膜１６１０は上、下部方向に長いほぼ直四角形状であって、視線遮断膜１６１０の上端が第１繊維部材１１１０に連結され、視線遮断膜１６１０の下端が空間部１１３０および第２繊維部材１１２０まで延長される。ここで、視線遮断膜１６１０は、前述のように、上端は第１繊維部材１１１０に連結し、下端は第２繊維部材１１２０に連結したり連結しないとしても遮断膜がひっくり返されないほどの長さを持つことによって、通気が阻害したり陰嚢に圧迫を加えないで、単に陰嚢を覆うわけである。
【０１６５】
このように本実施形態に係る男性用下着１６００は視線遮断膜１６１０をさらに持つことによって、既存の道徳的観念から逸脱しないながらも、本発明の作用効果つまり、陰茎の表面が陰嚢から完全に離間するように陰茎を離隔し、陰嚢を股の内側肉と直接接触しないように離間させ、陰嚢を外部からの空気中に突出および露出させてつり下がっているようにすることで、陰嚢の表面に通気性が極大化されて陰嚢と陰嚢内の睾丸をより効果的に冷やすことができる。もちろん、このような男性用下着１４００も陰茎が下部に傾いたり、または左、右側方向に一定の角度以上に傾かないようにする作用効果を持つことは当然である。
【０１６６】
ここで、本実施形態は視線遮断膜１６１０を図１７にだけ示しているが、このような視線遮断膜１６１０は前述した全ての実施形態または後述する全ての実施形態に共通的に適用されることは当然である。
【０１６７】
図１８は、本発明のまた他の実施形態に係る男性用下着を示した正面図である。
【０１６８】
図１８に示されているように、本実施形態に係る男性用下着１７００は股だけでなく、膝および足首まで覆われる一般的なズボン、寝巻、下部下着、またはジャージズボン１７１０の内部に形成されることができる。
【０１６９】
このように本実施形態に係る男性用下着１７００が一般的なズボン、寝巻、下部下着、またはジャージズボン１７１０等に適用されることによって、既存の道徳的観念から逸脱しないながらも、本発明の作用効果をそのまま実現することができる。
【０１７０】
ここでも同様に男性用下着１７００の第２繊維部材１１２０はズボン、寝巻、下部下着、またはジャージズボン１７１０に直接または間接的に接合されることは当然である。
【０１７１】
図１９は、本発明のまた他の実施形態に係る男性用下着を示した正面図である。
【０１７２】
図１９に示されているように、本実施形態に係る男性用下着１８００はスカート１８１０の内部に形成することができる。例えば、スコットランド男性が着るキルトと同じスカート１８１０に本実施形態に係る男性用下着１８００を適用できる。さらに、インドネシア、マレーシア、インド、スリランカなどの国で男性が着るサロンというスカート１８１０に本実施形態に係る男性用下着１８００を適用することもある。
【０１７３】
このように本実施形態に係る男性用下着１８００が一般的な男性用スカート１８１０に適用されることによって、既存の伝統を守りながらも、本発明の作用効果をそのまま実現することができる。
【０１７４】
ここでも同様に男性用下着１８００の第２繊維部材１１２０はスカート１８１０に直接または間接的に接合されることは当然である。
【０１７５】
図２０ａおよび図２０ｂは、本発明のまた他の実施形態に係る男性用下着を撮影した平面図および側面図である。
【０１７６】
図２０ａおよび図２０ｂに示されているように、本実施形態に係る男性用下着１９００は下端部１９１１（股が抜け出す領域）がほぼ三角パンツと類似に斜線または対角線方向に裁断したボクサーパンツ１９１０の内部に設けられてもよい。つまり、前述した第１繊維部材１１１０、第２繊維部材１１２０、第３繊維部材１９２０、空間部１１３０、第１、第２、第３伸縮性帯１１４０、１１５０、１１７０、およびバンド１１６０等がボクサーパンツ１９１０の内部に設けられてもよい。
【０１７７】
このとき、バンド１１６０は実質的にボクサーパンツ１９１０をなす腰を包むベルトであることもあるが、本発明はこれに限定されるものではない。また、第３繊維部材１９２０はボクサーパンツ１９１０の前方領域１９１２に連結されたり、または、空間部１１３０の下部で相互連結されてもよい。したがって、陰嚢に対する通気性は向上させながらも、下端部１９１１を通じて陰嚢が外部視線から見えないようになる。さらに、後方の第３伸縮性帯１１７０の一部領域（つまり、長さ調節部１１７１を除いた領域）はボクサーパンツ１９１０の後方の周り領域１９１３によって縁曲げ（ｈｅｍｍｉｎｇ）処理されることによって、第３伸縮性帯１１７０がボクサーパンツ１９１０と一体化し、そのために本実施形態に係る男性用下着１９００の外形がシンプルになる。ここで、第３伸縮性帯１１７０の一部領域は、ボクサーパンツ１９１０に直接固定して接合部１９２２を含んでもよい。また、このような接合部１９２２から長さ調節部１１７１までの第３伸縮性帯１１７０はボクサーパンツ１９１０の後方の周り領域に形成された縁曲げ処理部またはループ環を通して結合されてもよい。ここで、ボクサーパンツ１９１０がニットやスパンデックスのような高伸縮性繊維の場合、第３伸縮性帯１１７０をボクサーパンツ１９１０の後方領域１９１３に直接裁縫してもよい。
【０１７８】
また、本実施形態に係る男性用下着１９００は、第３繊維部材１９２０の間と対応する領域が陰嚢ポケット役割を果たすが、このような陰嚢ポケットは既存のパンツとは異なり陰嚢に密着せずに陰嚢表面から離間して陰嚢を外部視線から遮断するわけである。
【０１７９】
図２１は、本発明のまた他の実施形態に係る男性用下着２０００の着用状態を示した側面図である。
【０１８０】
図２１に示されているように、本実施形態に係る男性用下着２０００は、第３伸縮性帯１１７０がバンド１１６０でないボクサーパンツ２０１０の後方領域に接合部２０１１を通じて直接連結された構成を有する。このような接合部２０１１は第３伸縮性帯１１７０とボクサーパンツ２０１０との間に接着剤を介在したり、または第３伸縮性帯１１７０をボクサーパンツ２０１０に裁縫することで具現される。
【０１８１】
このようにして、第３伸縮性帯１１７０の長さを最小化することによって、男性用下着２０００の内部構造が簡略化され、また着映えが良くなる。
【０１８２】
このように本実施形態に係る男性用下着２０００をボクサーパンツ２０１０の内部に設けることで、既存の道徳的観念（陰嚢がボクサーパンツの外側から見えないこと）から逸脱しないながらも、本発明の作用効果つまり、陰茎の表面が陰嚢から完全に離間するように陰茎を離隔し、陰嚢を股の内側肉と直接接触しないように離間させ、陰嚢を空気中に突出および露出させてつり下がっているようにすることで、陰嚢の表面に対する通気性が極大化されて陰嚢と陰嚢内の睾丸をより効果的に冷やすことができる。
【０１８３】
図２２ａ乃至図２２ｃは、本発明のまた他の実施形態に係る男性用下着２１００をそれぞれ示した正面図、背面図および側面図である。図２３は、図２２ａに示された男性用下着２１００でボクサーパンツ２３１０の前面部を除去した状態を示した正面図である。
【０１８４】
図２２ａ乃至図２２ｃ、および図２３に示されているように、本実施形態に係る男性用下着２１００は第１繊維部材２０１０、第２繊維部材２１２０、空間部２１３０および第１伸縮性帯２１４０を含む。また、本実施形態に係る男性用下着２１００は第２伸縮性帯２１５０、バンド２１６０および第３伸縮性帯２１７０をさらに含むことができる。さらに、本実施形態に係る男性用下着２１００は第１、第２繊維部材２０１０、２１２０、空間部２１３０、第１、第２、第３伸縮性帯２１４０、２１５０、２１７０およびバンド２１６０が取り付けられるボクサーパンツ２１９０をさらに含むことができる。
【０１８５】
これをより具体的に説明する。
第１繊維部材２０１０は陰茎を陰嚢の反対方向（つまり、陰嚢からヘソに向かう方向）に立てて陰茎を陰嚢から離間させる。言い換えれば、第１繊維部材２０１０は陰茎の下側が支えられて、陰茎を陰嚢の反対方向にたてることによって、陰茎の上端を陰嚢から完全に離間させる。このようにして、陰茎と陰嚢を離間することによって、陰茎が陰嚢に熱や圧迫を加えないようになる。このような第１繊維部材２０１０は陰茎がほとんど覆われる程度の面積で形成されるが、本発明はこれに限定されるものではない。第２繊維部材２１２０は第１繊維部材２０１０を中心にその両側端から外側方向（つまり、側部方向および下部方向）に伸びて、陰嚢と股の内側肉を離間させる。もちろん、このため、第２繊維部材２１２０は陰嚢と股の内側肉との間に介在する。さらに、このような第２繊維部材２１２０は両側の股の内側肉間にも介在することによって、陰嚢と股の内側肉の離間だけでなく、両側の股の内側肉間の離間も可能にする。
【０１８６】
また、バンド２１６０から始まる第１繊維部材２０１０の長さに比べて、第２繊維部材２１２０の長さが相対的にさらに長く形成されてもよい。言い換えれば、第２繊維部材２１２０の面積を第１繊維部材２０１０の面積より大きく形成することによって、陰嚢と股の内側肉との間の離間面積および両側の股の内側肉間の離間面積を十分に確保することができる。
【０１８７】
空間部２１３０は、一対の第２繊維部材２１２０の間であって、第１繊維部材２０１０の下部に形成されて、陰嚢が空気中に完全に突出および露出するようにする。このような空間部２１３０は陰嚢の大きさと同じであるか、あるいは陰嚢の大きさより大きいこともある。このようにして、空間部２１３０を通じて陰嚢が空気中に完全に突出、露出およびつり下がっているようになることで、陰嚢の表面に対する通気性が極大化されて陰嚢と陰嚢内の睾丸がより効率的に冷やすことができる。また、空間部２１３０を通じて突出、露出およびつり下がっているようになった陰嚢はその下側一部が時により第２繊維部材２１２０に接触するわけで、前述のように股の内側肉と直接接触しないようになることで、股の内側肉から発生する熱が陰嚢の表面に伝わったり、または陰嚢の表面から発生する熱が外部に発散されることを妨害せず、陰嚢と股の内側肉との間に発生できる嚢湿、かゆみおよび／または悪臭現象も防止される。
【０１８８】
第１伸縮性帯２１４０は身体と接触する面の反対面である第１繊維部材２０１０の外側面にほぼ水平方向に伸びて形成されてもよい。また、第１繊維部材２０１０の端部が縁曲げ（ｈｅｍｍｉｎｇ）処理され、その縁曲げ処理された第１繊維部材２０１０の内部に第１伸縮性帯２１４０がほぼ水平方向に位置することもある。
【０１８９】
第２伸縮性帯２１５０は第２繊維部材２１２０の内側端部、言い換えれば、第１繊維部材２０１０の外側端部にそれぞれほぼ垂直方向に形成されて、陰茎が左側方向または右側方向に傾かないようにする。より具体的に説明すれば、第２伸縮性帯２１５０は第２繊維部材２１２０の内側端部、第１繊維部材２０１０の外側端部、または第１、第２繊維部材２０１０、２１２０の境界領域にそれぞれ並んで形成されてもよい。このような第２伸縮性帯２１５０も縁曲げ処理された第２繊維部材２１２０の内部または第１繊維部材２０１０の内部に形成されてもよい。
【０１９０】
バンド２１６０は着用者の腰を包むようにほぼ円形の伸縮性帯形状に形成され、バンド２１６０には第１繊維部材２０１０および第２繊維部材２１２０が直接、または間接的に連結される。さらに、前述のように第２伸縮性帯２１５０の上端はバンド２１６０に連結することもある。バンド２１６０は着用者の腰を弾力的に包むことができ、これは第１繊維部材２０１０および第２繊維部材２１２０が身体から分離しないで、一定の形態を保持せしめる役割を果たす。
【０１９１】
前述のように、バンド２１６０には第１繊維部材２０１０および第２繊維部材２１２０が直接連結される。例えば、第１、第２繊維部材２０１０、２１２０の上端全体をバンド２１６０に直接連結することによって、陰茎を完全に風呂敷形態に包んで外部視線から完全に遮断することができる。
【０１９２】
第３伸縮性帯２１７０は相互離隔した第２伸縮性帯２１５０のほぼ中間領域に裁縫された接合領域２１７０ａを有し、このような第３伸縮性帯２１７０はお尻の外側方向に伸びてバンド２１６０の前方まで延長および連結されている。つまり、第１、第２繊維部材２０１０、２１２０、第１、第２伸縮性帯２１４０、２１５０はほぼお尻の前方に位置し、第３伸縮性帯２１７０はほぼお尻の後方を横切ってお尻の前方までに伸びて位置する。したがって、このような第１、第２繊維部材２０１０、２１２０、第１、第２伸縮性帯２１４０、２１５０および第３伸縮性帯２１７０はバンド２１６０とともに身体に密着できる。
【０１９３】
前述した第１伸縮性帯２１４０と第２伸縮性帯２１５０は相互連結することで、ほぼＨ字形状をし、第３伸縮性帯２１７０はほぼＵ字形状をする。言い換えれば、第２伸縮性帯２１５０はバンド２１６０の前方とバンド２１６０の後方をほぼＵ字状に連結し、第１伸縮性帯２１４０は一対の第２伸縮性帯２１５０の間に連結することによって、第１、第２伸縮性帯２１４０、２１５０はほぼＨ字状に形成されることができる。さらに、第３伸縮性帯２１７０はお尻の後方を経て前方に伸びてバンド２１６０に結合することによって、ほぼＵ字形状をする。
【０１９４】
また、ボクサーパンツ２１９０の内側には前述した第１、第２繊維部材２１１０、２１２０、空間部２１３０、第１、第２、第３伸縮性帯２１４０、２１５０、２１７０およびバンド２１６０が取り付けられる。ここで、バンド２１６０は実質的にボクサーパンツ２１９０において腰を包むベルトである。
【０１９５】
また、第２伸縮性帯２１５０と並んだ前記第２繊維部材２１２０の外側端部は、前記ボクサーパンツ２１９０の前面部に裁縫されて固定された接合ライン２１２０ａを有する。さらに、前記第２伸縮性帯２１５０の下端はボクサーパンツ２１９０の下端のうち股の内側肉と対応する領域に裁縫して接合領域２１５０ａを有してもよい。ここで、第２伸縮性帯２１５０と接合ライン２１２０ａはほぼ平行に形成されている。
【０１９６】
さらに、第３伸縮性帯２１７０はボクサーパンツ２１９０の背面部に裁縫して固定することができる。もう少し詳しく説明すれば、第３伸縮性帯２１７０はボクサーパンツ２１９０の背面部に裁縫されると同時に、ボクサーパンツ２１９０の前方に延長され、このようなボクサーパンツ２１９０の前方に延長された第３伸縮性帯２１７０も裁縫されてボクサーパンツ２１９０の前面に結合する。もちろん、第３伸縮性帯２１７０の両側端はバンド２１６０に固定される。
【０１９７】
また、第２繊維部材２１２０の上部とボクサーパンツ２１９０の前面部との間には空気循環用第１開口部２１２０ｂがさらに形成されることができる。また、第２繊維部材２１２０の下部とボクサーパンツ２１９０の前面部の間にも空気循環用第２開口部２１２０ｃがさらに形成されることができる。さらに、第２繊維部材２１２０の内側とボクサーパンツ２１９０のうち股と対応する領域の間にも空気循環用第３開口部２１２０ｄがさらに形成されることができる。
【０１９８】
したがって、このようなボクサーパンツ２１９０の上部、下部および股と対応する領域にそれぞれ形成された空気循環用第１、第２、第３開口部２１２０ｂ、２１２０ｃ、２１２０ｄによって外部の空気がボクサーパンツ２１９０の内部に円滑に循環できる。
【０１９９】
図２４ａ乃至図２４ｃは、本発明のまた他の実施形態に係る男性用下着をそれぞれ示した正面図、背面図および平面図である。
【０２００】
図２４ａ乃至図２４ｃに示されているように、本実施形態に係る男性用下着２２００は第１繊維部材２２１０、第２繊維部材２２２０、空間部２２３０および第１伸縮性帯２２４０を含む。また、本実施形態に係る男性用下着２２００は第２伸縮性帯２２５０、バンド２２６０および第３伸縮性帯２２７０をさらに含むことができる。さらに、本実施形態に係る男性用下着２２００は第１、第２繊維部材２２１０、２２２０、空間部２２３０、第１、第２、第３伸縮性帯２２４０、２２５０、２２７０およびバンド２２６０が取り付けられるズロースまたはロングズロース２２９０をさらに含むことができる。
【０２０１】
ここで、第３伸縮性帯２２７０は第１伸縮性帯２２４０の下部で相互連結されており、これはズロースまたはロングズロース２２９０に裁縫方式で接続されることができる。つまり、第１、第２繊維部材２２１０、２２２０、空間部２２３０、第１、第２伸縮性帯２２４０、２２５０はズロースまたはロングズロース２２９０から離隔しているが、第３伸縮性帯２２７０はズロースまたはロングズロースに一体化されている。
【０２０２】
また、第２繊維部材２２２０の一側領域は第１繊維部材２２１０の一側領域に接続されると同時にさらに延長された後、下端（終端）が第３伸縮性帯２２７０に接続されている。したがって、第２繊維部材２２２０は股の内側肉と陰嚢の間、そして股の内側肉間の接触を防止する役割を果たす。
【０２０３】
図２５ａ乃至図２５ｃは、本発明のまた他の実施形態に係る男性用下着をそれぞれ示した正面図、背面図および平面図である。
【０２０４】
図２５ａ乃至図２５ｃに示されているように、本実施形態に係る男性用下着２３００は視線遮断膜２３１０をさらに含むことができる。つまり、視線遮断膜２３１０はほぼバンド２３６０の前方に結合して下部に延長された上部遮断膜２３１１と、上部遮断膜２３１１の下部に結合して陰嚢が外部から見えないようにする下部遮断膜２３１２とを含む。また、下部遮断膜２３１２の下端は三角パンツ２３９０のほぼ下端に結合される。ここで、三角パンツ２３９０は通常、市販の三角パンツを意味することもある。
【０２０５】
もちろん、三角パンツ２３９０の下端には陰嚢が外部に完全に突出および露出できるように第１開口部２３３０が形成されることができ（しかし、このような陰嚢も下部遮断膜２３１２によって外部から見えない）、第１開口部２３３０の両側には両側の股が貫通結合される第２開口部２３３２が形成されている。このような第２開口部２３３２にはほぼ股を包んで、股と陰嚢が直接接触しないようにする第２繊維部材２３２０がさらに形成される。このような第２繊維部材２３２０は第２開口部２３３２の全体周りに形成したり、または第２開口部２３３２において股の内側肉と対応する部分だけに形成することもある。
【０２０６】
図２６ａ乃至図２６ｃは、本発明のまた他の実施形態に係る男性用下着をそれぞれ示した正面図、背面図および平面図である。
【０２０７】
図２６ａ乃至図２６ｃに示されているように、本実施形態に係る男性用下着２４００は第１繊維部材２４１０、第２繊維部材２４２０、空間部２４３０および第１伸縮性帯２４４０を含む。また、本実施形態に係る男性用下着２４００は第２伸縮性帯２４５０、バンド２４６０および第３伸縮性帯２４７０をさらに含むことができる。さらに、本実施形態に係る男性用下着２４００は第１、第２繊維部材２４１０、２４２０、空間部２４３０、第１、第２、第３伸縮性帯２４４０、２４５０、２４７０およびバンド２４６０が取り付けられる三角パンツ、四角パンツ、ズロースまたはロングズロース２２９０をさらに含むことができる。さらに、第１伸縮性帯２４４０は上部方向に凸の放物線形態、つまり、“∩”形状に形成され、両端が第３伸縮性帯２４７０に連結される。つまり、第１繊維部材２４１０は空間部２４３０の両側の下部方向に延長された延長部２４１０ａをさらに含み、このような延長部２４１０ａが第３伸縮性帯２４７０に連結される。さらに、このような延長部２４１０ａも第２繊維部材２４２０と同様に陰嚢と股の間に位置できる。
【０２０８】
ここで、第３伸縮性帯２２７０は第１伸縮性帯２２４０の下部で相互連結され、これは三角パンツ、四角パンツ、ズロースまたはロングズロース２４９０に裁縫方式で接続されることができる。つまり、第１、第２繊維部材２４１０、２４２０、空間部２４３０、第１、第２伸縮性帯２４４０、２４５０は三角パンツ、四角パンツ、ズロースまたはロングズロース２４９０から離隔しているが、第３伸縮性帯２４７０は三角パンツ、四角パンツ、ズロースまたはロングズロース２４９０に一体化されている。
【０２０９】
また、第２繊維部材２４２０の一側領域は第１繊維部材２４１０の一側領域に接続されると同時に、さらに延長された後、下端（終端）が第３伸縮性帯２４７０に接続されることができる。したがって、第２繊維部材２４２０は股の内側肉と陰嚢の間、そして股の内側肉間の接触を防止する役割を果たす。
【０２１０】
また、前述した三角パンツ、四角パンツ、ズロースまたはロングズロース２４９０の下端には視線遮断膜２４９０ａがさらに形成されることができ、これは陰嚢と対応する部分に裁縫線がないのが特徴である。つまり、視線遮断膜２４９０ａは陰嚢の下方と対応する部分に何の裁縫線がないことによって、陰嚢の不便さを解消することができる。もちろん、このような視線遮断膜２４９０ａの上端および後端は外側衣類つまり、三角パンツ、四角パンツ、ズロースまたはロングズロース２４９０に裁縫することができる。
【０２１１】
図２７ａおよび図２７ｂはブリーフ、ズロースおよびロングズロースの概念を説明するための図である。
【０２１２】
図２７ａおよび図２７ｂに示されているように、丸数字１で表示された領域は、陰茎および陰嚢を保護するブリーフ（または三角パンツ）を意味し、丸数字２で表示された領域は、股の上部の部分まで保護するズロース（または四角パンツ）を意味し、丸数字３で表示された領域は、膝の上の股まで保護するロングズロースを意味し、本明細書で説明された全ての男性用下着は、このようなブリーフ、ズロースおよび／またはロングズロースに適用可能である。
【図１ａ】
2017523322.tif 000003
【図１ｂ】
2017523322.tif 000004
【図２ａ】
2017523322.tif 000005
【図２ｂ】
2017523322.tif 000006
【図３ａ】
2017523322.tif 000007
【図３ｂ】
2017523322.tif 000008
【図４】
2017523322.tif 000009
【図５】
2017523322.tif 000010
【図６】
2017523322.tif 000011
【図７】
2017523322.tif 000012
【図８】
2017523322.tif 000013
【図９】
2017523322.tif 000014
【図１０】
2017523322.tif 000015
【図１１ａ】
2017523322.tif 000016
【図１１ｂ】
2017523322.tif 000017
【図１１ｃ】
2017523322.tif 000018
【図１２ａ】
2017523322.tif 000019
【図１２ｂ】
2017523322.tif 000020
【図１３ａ】
2017523322.tif 000021
【図１３ｂ】
2017523322.tif 000022
【図１４ａ】
2017523322.tif 000023
【図１４ｂ】
2017523322.tif 000024
【図１４ｃ】
2017523322.tif 000025
【図１５ａ】
2017523322.tif 000026
【図１５ｂ】
2017523322.tif 000027
【図１６ａ】
2017523322.tif 000028
【図１６ｂ】
2017523322.tif 000029
【図１６ｃ】
2017523322.tif 000030
【図１６ｄ】
2017523322.tif 000031
【図１７】
2017523322.tif 000032
【図１８】
2017523322.tif 000033
【図１９】
2017523322.tif 000034
【図２０ａ】
2017523322.tif 000035
【図２０ｂ】
2017523322.tif 000036
【図２１】
2017523322.tif 000037
【図２２ａ】
2017523322.tif 000038
【図２２ｂ】
2017523322.tif 000039
【図２２ｃ】
2017523322.tif 000040
【図２３】
2017523322.tif 000041
【図２４ａ】
2017523322.tif 000042
【図２４ｂ】
2017523322.tif 000043
【図２４ｃ】
2017523322.tif 000044
【図２５ａ】
2017523322.tif 000045
【図２５ｂ】
2017523322.tif 000046
【図２５ｃ】
2017523322.tif 000047
【図２６ａ】
2017523322.tif 000048
【図２６ｂ】
2017523322.tif 000049
【図２６ｃ】
2017523322.tif 000050
【図２７ａ】
2017523322.tif 000051
【図２７ｂ】
2017523322.tif 000052
【国際調査報告】
2017523322.tif 000053
2017523322.tif 000054
2017523322.tif 000055
2017523322.tif 000056